(57)【要約】      （修正有）【課題】無線アクセスネットワークにおいてユーザ機器のフィードバックシグナリングのハンドリングを改善する方法を提供する。【解決手段】フィードバックリソース範囲を利用してＨＡＲＱ（ハイブリッド自動再送要求）フィードバックを送信する方法であって、フィードバックリソース範囲は、第１のダウンリンク制御情報（ＤＣＩ）メッセージから受信するフィードバックサイズ指示及び第２のＤＣＩメッセージから受信するスケジューリングアサインメント指示に基づいて判定する、フィードバックシグナリングを送信することを含む。フィードバックサイズ指示は、フィードバックシグナリングのサイズを指示する。第１のＤＣＩメッセージは、ＵＥに対して、物理アップリンク共有チャネル（ＰＵＳＣＨ）上の送信のためにシグナリングリソース範囲を設定するアップリンクグラントスケジューリングである。【選択図】図１
2022000959.tif 000002
【特許請求の範囲】
【請求項１】
無線アクセスネットワークにおいてユーザ機器（１０）を動作させる方法であって、
フィードバックリソース範囲を利用してフィードバックシグナリングを送信することであって、前記フィードバックリソース範囲は、受信されるフィードバックサイズ指示および受信されるスケジューリングアサインメント指示に基づいて判定される、フィードバックシグナリングを送信することを含み
前記フィードバックリソース範囲は、送信のために前記ユーザ機器（１０）に対して設定されるシグナリングリソース範囲の一部である、方法。
【請求項２】
無線アクセスネットワークのためのユーザ機器（１０）であって、
フィードバックリソース範囲を利用してフィードバックシグナリングを送信することであって、前記フィードバックリソース範囲は、受信されるフィードバックサイズ指示および受信されるスケジューリングアサインメント指示に基づいて判定される、フィードバックシグナリングを送信することを行うように適応され、前記フィードバックリソース範囲は、送信のために前記ユーザ機器（１０）に対して設定されるシグナリングリソース範囲の一部である、ユーザ機器（１０）。
【請求項３】
無線アクセスネットワークにおける無線ノード（１０、１００）を動作させる方法であって、
フィードバックシグナリングのサイズを指示するフィードバックサイズ指示、およびスケジューリングアサインメント指示を用いて第２の無線ノード（１０）を設定すること、ならびに／または
フィードバックサイズ指示およびスケジューリングアサインメント指示に基づいて判定されるフィードバックリソース範囲においてフィードバックシグナリングを受信することを含み、
前記フィードバックリソース範囲は、送信のために前記第２の無線ノード（１０）に対して設定されたシグナリングリソース範囲の一部である、方法。
【請求項４】
無線アクセスネットワークのための無線ノード（１０、１００）であって、
フィードバックシグナリングのサイズを指示するフィードバックサイズ指示、および総スケジューリングアサインメント指示を用いて第２の無線ノード（１０）を設定するように、ならびに／またはフィードバックシグナリングのサイズ、およびスケジューリングアサインメント指示に基づいて判定されるフィードバックリソース範囲においてフィードバックシグナリングを受信するように適応され、前記フィードバックリソース範囲は、送信のために前記第２の無線ノード（１０）に対して設定されたシグナリングリソース範囲の一部である、無線ノード（１０、１００）。
【請求項５】
前記フィードバックシグナリングは、肯定応答シグナリングを含むおよび／または表す、請求項１から４のいずれか一項に記載の方法またはデバイス。
【請求項６】
前記フィードバックサイズ指示は、２つ以上のビットによって表される、請求項１から５のいずれか一項に記載の方法またはデバイス。
【請求項７】
前記フィードバックサイズ指示および前記スケジューリングアサインメント指示は、別個のメッセージにおいて送信される、請求項１から６のいずれか一項に記載の方法またはデバイス。
【請求項８】
スケジューリングアサインメント指示はスケジューリングアサインメントメッセージに含まれる、請求項１から７のいずれか一項に記載の方法またはデバイス。
【請求項９】
前記フィードバックシグナリングは、物理アップリンク共有チャネル（ＰＵＳＣＨ）シグナリングとして、または物理アップリンク制御チャネル（ＰＵＣＣＨ）シグナリングとして送信される、請求項１から８のいずれか一項に記載の方法またはデバイス。
【請求項１０】
前記フィードバックサイズ指示は、前記シグナリングリソース範囲を設定可能であるスケジューリンググラントに含まれる、請求項１から９のいずれか一項に記載の方法またはデバイス。
【請求項１１】
前記フィードバックサイズ指示は、スケジューリングアサインメント指示、とりわけ、総スケジューリングアサインメント指示に基づいて判定される、請求項１から１０のいずれか一項に記載の方法またはデバイス。
【請求項１２】
スケジューリングアサインメント指示は、スケジューリングアサインメントのカウンタ値または数を指示する、請求項１から１１のいずれか一項に記載の方法またはデバイス。
【請求項１３】
前記フィードバックシグナリングは、周波数がＰＵＳＣＨ送信と隣接している、および／またはＰＵＳＣＨ送信に含まれる、請求項１から１２のいずれか一項に記載の方法またはデバイス。
【請求項１４】
処理回路に、請求項１、３、または５から１３のいずれか一項に記載の方法を制御および／または実行させる命令を含む、プログラム製品。
【請求項１５】
請求項１４に記載のプログラム製品を保持するおよび／または記憶する、キャリア媒体配置構成。
【発明の詳細な説明】
【技術分野】
【０００１】
本開示は、とりわけ、無線アクセスネットワーク（ＲＡＮ）におけるフィードバックシグナリングの文脈における無線通信技術に関する。
【背景技術】
【０００２】
現代の通信システムでは、フィードバックシグナリングは、改善された通信に向けたネットワークにおいて提供されている。このようなフィードバックシグナリングは、例えば、肯定応答プロセスの文脈において、例えば、測定レポートシグナリングおよび／または肯定応答シグナリングを含んでよい。フィードバックシグナリングに基づいて、例えば、データブロックが（例えば、肯定応答シグナリング処理の文脈において）再送信されなければならないかどうか、または、どの送信モード／動作特性が（例えば、測定レポートの文脈において）レポートされたチャネル条件に適しているかが判定可能である。フィードバックシグナリングは通常、所与の送信タイミング構造における送信としてだけではなく、他の送信またはシグナリング、例えば、データ送信および／または他の制御シグナリングと並列でのおよび／または多重化された（例えば、時間および／または周波数多重化された）送信として提供される。また、フィードバックシグナリングは、複数の異なるおよび変わりゆくプロセスに関連する場合があり、それに応じて、例えば、種々の発生、および／または、スロットまたはサブフレームのような種々の送信タイミング構造の間で、経時的に（例えば、サイズにおいて）かなり可変であり得る。
【発明の概要】
【０００３】
本開示の目的は、とりわけ、無線アクセスネットワークの文脈において、フィードバックシグナリングのハンドリングの改善を可能にするアプローチを提供することである。アプローチは、とりわけ、フィードバックシグナリングの信頼できかつ予測可能なハンドリング、それぞれ対応するシグナリング構造を可能にすることができる。アプローチは、とりわけ、３ＧＰＰ（標準化団体である第３世代パートナーシッププロジェクト）に従って、第５世代（５Ｇ）通信ネットワークまたは５Ｇ無線アクセス技術もしくはネットワーク（ＲＡＴ／ＲＡＮ）においてとりわけ有利に実施される。適したＲＡＮは、とりわけ、ＮＲ、例えば、リリース１５もしくはそれ以降のリリース、またはＬＴＥエボリューションに従ったＲＡＮとすることができる。
【０００４】
それに応じて、無線アクセスネットワークにおいてユーザ機器（ＵＥ）を動作させる方法が開示される。方法は、フィードバックリソース範囲を利用してフィードバックシグナリングを送信することであって、フィードバックリソース範囲は、受信されるフィードバックサイズ指示および受信されるスケジューリングアサインメント指示に基づいて判定される、送信することを含む。フィードバックリソース範囲は、送信のためにユーザ機器に対して設定されるシグナリングリソース範囲の一部である。方法は、ＵＥによって、フィードバックリソース範囲を判定することを含んでよい。
【０００５】
さらに、無線アクセスネットワークに対するユーザ機器について説明する。ユーザ機器は、フィードバックリソース範囲を利用してフィードバックシグナリングを送信することであって、フィードバックリソース範囲は、受信されるフィードバックサイズ指示および受信されるスケジューリングアサインメント指示に基づいて判定される、送信することを行うように適応される。フィードバックリソース範囲は、送信のためにユーザ機器に対して設定されるシグナリングリソース範囲の一部である。ユーザ機器は、指示を送信する、判定する、および／または受信するために、処理回路および／または無線回路、とりわけ、送受信機、送信機、および／または受信機を利用することを含んでよいおよび／または利用するように適応されてよい。代替的にはまたはさらに、ＵＥは、このように送信する、受信する、および／または判定するための、対応する送信モジュール、受信モジュール、および／または判定モジュールを含んでよい。
【０００６】
無線アクセスネットワークにおいて無線ノードを動作させる方法が考慮可能である。方法は、フィードバックシグナリングのサイズを指示するフィードバックサイズ指示、およびスケジューリングアサインメント指示を用いて第２の無線ノードを設定すること、ならびに／またはフィードバックサイズ指示およびスケジューリングアサインメント指示に基づいて判定されるフィードバックリソース範囲においてフィードバックシグナリングを受信することを含む。フィードバックリソース範囲は、送信のために第２の無線ノードに対して設定されるシグナリングリソース範囲の一部である。
【０００７】
無線アクセスネットワークに対する無線ノードについても説明する。無線ノードは、フィードバックシグナリングのサイズを指示するフィードバックサイズ指示、および総スケジューリングアサインメント指示を用いて第２の無線ノードを設定するように、ならびに／またはフィードバックシグナリングのサイズ、および総スケジューリングアサインメント指示に基づいて判定されるフィードバックリソース範囲においてフィードバックシグナリングを受信するように適応される。フィードバックリソース範囲は、送信のために第２の無線ノードに対して設定されたシグナリングリソース範囲の一部である。無線ノードは、このように送信するまたは設定するために、処理回路および／または無線回路、とりわけ、送信機および／または送受信機を利用することを含んでよいおよび／または利用するように適応されてよい。代替的にはまたはさらに、無線ノードは、このように設定するまたは送信するための設定モジュールまたは送信モジュールを含んでよい。無線ノードは、フィードバックシグナリングを受信するための処理回路および／または無線回路、とりわけ、受信機および／または送受信機を利用することを含むおよび／または利用するように適応されることが考えられ得る。後者は、とりわけ、無線ノードがネットワークノードである場合に実施可能である。
【０００８】
無線アクセスネットワークにおいてユーザ機器を動作させる方法が開示される。方法は、フィードバックリソース範囲を利用してフィードバックシグナリングを送信することを含む。フィードバックリソース範囲は、受信されたフィードバックサイズ指示に基づいて判定され、フィードバックリソース範囲は、送信のためにユーザ機器に対して設定されるシグナリングリソース範囲の一部である。
【０００９】
また、無線アクセスネットワークに対するユーザ機器または無線ノードについて説明する。ユーザ機器または無線ノードは、フィードバックリソース範囲を利用してフィードバックシグナリングを送信することであって、フィードバックリソース範囲は、受信されるフィードバックサイズ指示に基づいて判定される、送信することを行うように適応される。フィードバックリソース範囲は、送信のためにユーザ機器または無線ノードに対して設定されるシグナリングリソース範囲の一部である。ユーザ機器または無線ノードは、このように送信するために、処理回路および／または無線回路、とりわけ、送信機および／または送受信機を利用することを含んでよいおよび／または利用するように適応されてよい。代替的にはまたはさらに、ユーザ機器または無線ノードは、このように送信するための送信モジュールを含んでよい。ユーザ機器または無線ノードは、フィードバックサイズ指示を受信するための、および／または、例えば、この指示を判定することによってこれら自体を設定するための、処理回路および／または無線回路、とりわけ、受信機および／または送受信機を利用することを含むおよび／または利用するように適応されることが考えられ得る。後者は、とりわけ、無線ノードがネットワークノードである場合に実施可能である。
【００１０】
無線アクセスネットワークにおいて無線ノードを動作させる方法が考慮可能である。方法は、フィードバックシグナリングのサイズを指示するフィードバックサイズ指示を用いて第２の無線ノードを設定することを含む。代替的にはまたはさらに、方法は、（とりわけ、設定された）フィードバックサイズ指示に基づいて判定されるフィードバックリソース範囲においてフィードバックシグナリングを受信することを含んでよく、ここで、フィードバックリソース範囲は、送信のために第２の無線ノードに対して設定されるシグナリングリソース範囲の一部である。
【００１１】
無線アクセスネットワークに対する無線ノードについても説明する。無線ノードは、フィードバックシグナリングのサイズを指示するフィードバックサイズ指示を用いて第２の無線ノードを設定するように適応されてよい。代替的にはまたはさらに、無線ノードは、フィードバックシグナリングのサイズ、とりわけ、設定されたフィードバックサイズ指示に基づいて判定されるフィードバックリソース範囲においてフィードバックシグナリングを受信するように適応されてよい。フィードバックリソース範囲は、送信のために第２の無線ノードに対して設定されるシグナリングリソース範囲の一部である。無線ノードは、このように送信するまたは設定するために、処理回路および／または無線回路、とりわけ、送信機および／または送受信機を利用することを含んでよいおよび／または利用するように適応されてよい。代替的にはまたはさらに、無線ノードは、このように送信するための送信モジュールを含んでよい。ユーザ機器または無線ノードは、フィードバックシグナリングを受信するための処理回路および／または無線回路、とりわけ、受信機および／または送受信機を利用することを含むおよび／または利用するように適応されることが考えられ得る。後者は、とりわけ、無線ノードがネットワークノードである場合に実施可能である。
【００１２】
本明細書に説明されるアプローチによって、とりわけ、フィードバックシグナリングに関連している（予想）サイズの指示で無線ノード／ＵＥを設定することによって、フィードバックシグナリングハンドリングの改善が可能になる。それ故に、種々のチャネルに関連している送信構造／リソースに関する無線ノード間の混乱状態は、シグナリングオーバーヘッドの制限によって、回避または限定され得る。フィードバックサイズ指示およびスケジューリングアサインメント指示に基づいて、フィードバックサイズは、さらなるオーバーヘッドの制限によって、良好な信頼性および冗長性で判定可能である。
【００１３】
リソース範囲は、（例えば、特定の）送信タイミング構造、例えば、スロットまたはＰＲＢに関連付けられてよいおよび／または配置されてよいリソース構造とみなされてよい。このような範囲は、とりわけ、１つもしくは複数のリソースエレメントを含むリソース構造であってよい、ならびに／または時間間隔および周波数間隔に及んでよい。
【００１４】
一般的に、リソース範囲は、設定されてよいおよび／または設定可能であってよいヌメロロジーに依存する、時間領域および／または周波数領域における拡張を有することができる。
【００１５】
フィードバックリソース範囲は、例えば、ＰＵＳＣＨまたはＰＵＣＣＨのような特定のチャネル上で、フィードバックシグナリングまたはフィードバックシグナリングを含むＵＣＩを含む、表す、これに関連している、および／またはこれについてスケジューリングされるとみなされてよい。シグナリングリソース範囲は、とりわけ、複数のリソースエレメントを含んでよい、時間領域および周波数領域におけるリソース構造とみなされてよい。シグナリングリソース範囲は、フィードバックリソース範囲より大きいものであってよい。しかしながら、とりわけ、ＵＣＩがフィードバックシグナリングのみを含む場合、フィードバックリソース範囲が例えばＰＵＣＣＨ上のＵＣＩに対するシグナリングリソース範囲である解決策が考慮され得る。
【００１６】
無線ノードまたはＵＥに対して設定されるシグナリングリソース範囲は、無線ノードによる送信のために、無線ノードに対してスケジューリングされるおよび／または指示されるリソース構造とみなされてよい。このような設定されたリソース範囲は、特定のチャネル（単数または複数）、例えば、ＰＵＳＣＨおよび／またはＰＵＣＣＨ上のシグナリングに関連し得る。
【００１７】
無線ノードは、ユーザ機器、端末、またはネットワークノードであってよい。第２の無線ノードは、とりわけ、ユーザ機器または端末、例えば、上述されるようなユーザ機器であってよい。フィードバックサイズ指示は、ダウンリンクシグナリング、例えば、ＤＣＩ（ダウンリンク制御情報）のようなダウンリンク制御シグナリングが設定されることが考えられ得る。
【００１８】
一般的に、フィードバックシグナリングは、受信されるデータ送信および／または参照シグナリングに応答するものであってよい。
【００１９】
フィードバックシグナリングは、肯定応答シグナリングを含む、表す、および／またはこれで構成されることが可能である。肯定応答シグナリングは、１つもしくは複数の肯定応答シグナリングプロセスおよび／または１つもしくは複数のデータブロックに関連し得る。このようなデータブロックおよび／または関連のシグナリングは、例えば、スケジューリングアサインメントによって表され得る対応する制御シグナリングを利用して、無線ノードによる受信のために設定および／またはスケジューリングされてよい。いくつかの別形では、フィードバックシグナリングは、肯定応答シグナリング、測定レポートシグナリング、および／またはＵＣＩシグナリングを含むおよび／または表すことができる。
【００２０】
フィードバックシグナリング、とりわけ、肯定応答シグナリングは、１つまたは複数のキャリア、例えば、キャリアアグリゲーションにおけるいくつかのキャリア（例えば、受信キャリア）に関連し得る。フィードバックシグナリングは、例えば、ダウンリンクまたはサイドリンクにおいて受信されるまたはスケジューリングされるデータおよび／または参照シグナリングに応答した、アップリンクまたはサイドリンクにおける送信であってよい。受信されるおよび／またはスケジューリングされるデータまたは対応するシグナリングに応答した肯定応答シグナリングは、肯定応答判定を行うことに基づいている、ならびに／または肯定応答シグナリングプロセス、例えば、誤り検出、訂正、および／もしくはソフトコンバイニングのアクションを伴うことが考えられ得る。受信されるおよび／またはスケジューリングされる参照シグナリングに応答した測定レポートシグナリングは、測定を行うことおよび／または参照シグナリングに基づいて測定情報を判定することを含んでよい。
【００２１】
フィードバックサイズ指示は一般的に、２つ以上のビット、および／または２つ以上のビットを含むビットパターンによって表されてよい。フィードバックサイズ指示を含むおよび／または伝達するシグナリングまたはシグナリングフォーマットは、対応するビットフィールドを含んでよい。
【００２２】
いくつかの別形では、フィードバックサイズ指示は、サイズ範囲、例えば、ビットの範囲を表すことができる。指示の異なる値または設定は、異なるサイズ範囲を指示することができる。これに関連して、サイズ範囲は、予想またはスケジューリングされるフィードバックのスケジューリングされるまたは予想されるサイズがあるものとするまたはある可能性が高いサイズの範囲を指示することができる。指示は一般的に、直接指示とすることができるように単独で、または間接指示とみなされ得る場合があるが他の情報と共に、サイズまたは範囲の判定を可能にするように選択されてよい。サイズまたは範囲の判定は、判定されるサイズまたは範囲が、例えば、ある特定の可能性または可能性分布によって、誤りを含んでよいまたは誤りがある場合があるような、推定としておよび／または見込みに基づいて、含んでよいおよび／または実施されてよい。
【００２３】
フィードバックサイズ指示は、複数の異なるフィードバックプロセス、とりわけ、複数の肯定応答シグナリングプロセスに関連しているシグナリングのサイズに関連することが考えられ得る。とりわけ、フィードバックサイズ指示は、いくつかのスケジューリングされた肯定応答シグナリングプロセス、それぞれの関連のデータ送信もしくはスケジューリングされた送信、および／または関連のスケジューリングアサインメントに関連している肯定応答情報／シグナリングを送信するために必要とされるサイズに対応する（例えば、ビットまたはリソースエレメントにおける）サイズに関連してよいおよび／またはこれを指示してよい。例えば、フィードバックサイズ指示は、例えば、所与の時間間隔内でまたはこれでスケジューリングされた、いくつかの関連の肯定応答シグナリングプロセスに関連付けられたビットおよび／またはリソースエレメントの数に対応するおよび／またはこれを表すことができる。所与の時間間隔は、１つもしくは複数の送信タイミング構造、および／または１つもしくは複数のスロットがそれぞれに関連している時間間隔を含んでよい。代替的にはまたはさらに、フィードバックサイズ指示は、特定の送信タイミング構造、例えば、スロット間隔もしくはミニスロットに関連付けられる、スケジューリングされる、および／もしくは予想される、ならびに／または、特定のチャネルもしくはリソース構造、とりわけ、フィードバックリソース範囲に関連付けられるもしくはこれのためにスケジューリングされるフィードバックシグナリングに関連し得る。
【００２４】
フィードバックシグナリングは、物理アップリンク共有チャネル（ＰＵＳＣＨ）シグナリングとして、または物理アップリンク制御チャネル（ＰＵＣＣＨ）シグナリングとして、送信されてよい。シグナリングは、このようなチャネルに関連付けられるおよび／またはこれのためにスケジューリングされるリソース構造を利用することができる。
【００２５】
リソース構造をスケジューリングすることは、例えば、ダウンリンク、アップリンク、またはサイドリンクにおける、シグナリングまたは送信のためのリソース構造を、判定することおよび／または指示すること、とりわけ、設定することを含むことができる。このように指示することまたは設定することは、スケジューリング情報および／または対応する設定データを送信することを含んでよい。（例えば、ダウンリンクにおける）スケジューリングされたまたは設定された無線ノードによって受信される、シグナリング／送信、それぞれの関連のリソース構造をスケジューリングすることは、例えば、１つまたは複数のメッセージにおいて、１つまたは複数のスケジューリングアサインメントを送信することまたは指示することを含んでよい。（例えば、アップリンクにおける）設定されたまたはスケジューリングされた無線ノードによってシグナリングされる／送信される、シグナリング／送信、それぞれの関連のリソース構造をスケジューリングすることは、シグナリンググラント、例えば、アップリンクまたはサイドリンクグラントを送信することを含んでよい。フィードバックサイズ指示は、このようなグラントと同じメッセージに含まれてよい。
【００２６】
一般的に、フィードバックサイズ指示は、対応するスケジューリングアサインメントが正確に受信されているまたは検出／復号されている場合に、フィードバックシグナリングに必要であると思われるサイズを指示することが考えられ得る。無線ノードがスケジューリングアサインメントを逃す場合、対応するフィードバックシグナリング、例えば、肯定応答シグナリングまたは情報を提供するべきであることを知っているはずだったことさえ知らない場合がある。本明細書におけるアプローチによって、無線ノード、例えば、ＵＥは、依然、フィードバックシグナリングに対する正確なサイズを判定し、かつ正確な構造またはフォーマットにおけるフィードバックリソース範囲およびシグナリングリソース範囲に対する送信を提供することができる。その他の場合は、フィードバックシグナリングおよび／またはシグナリングリソース範囲に対応するシグナリングを受信するノードは、フィードバックシグナリングに対するより大きいサイズの（例えば、スケジューリングアサインメントに基づく）予想を有する場合、範囲におけるシグナリングを間違って受信または検出する場合がある。とりわけ、ＰＵＳＣＨまたは関連のリソース上のシグナリングは、ＰＵＳＣＨ上で伝達されるフィードバックシグナリングのサイズが予想と異なっている場合、間違って復号される場合がある。
【００２７】
シグナリングを、および／またはリソース範囲において受信することは、復号することおよび／または復調することを含んでよい。受信することは、シグナリング構造、例えば、フォーマット、サイズ、信号、および／または情報の分布の想定に基づいてよい。想定が正確でない場合、シグナリングは間違って復号される場合があり、対応する送信はリソースを消費して喪失したとみなされ得る。
【００２８】
フィードバックサイズ指示は、アップリンクシグナリング、とりわけ、アップリンク制御シグナリングのためのシグナリングリソース範囲および／またはリソースを設定することができる、スケジューリンググラント（例えば、アップリンクグラント）に含まれてよい。スケジューリングリソース範囲を設定することは、設定された無線ノードによる送信のためにこの範囲を設定することを含むことができる。
【００２９】
フィードバックサイズ指示は、肯定応答シグナリングのスケジューリングされたサイズ（および／またはスケジューリングされたもののサイズ）、とりわけ、スケジューリングされたビット数に基づく（または、例えば、これに基づいて、設定する無線ノードによって判定される）ことが考えられ得る。スケジューリングされた肯定応答シグナリングは、スケジューリングアサインメントにおいて指示される肯定応答シグナリングであってよい。この文脈におけるスケジューリングされたサイズまたはスケジューリングされたシグナリングがスケジューラ（例えば、ネットワークノードのような無線ノード）の観点から考えられ得ることは、留意されるべきである。無線ノードに対して実際設定される設定またはスケジュールは、例えば、シグナリングまたは情報の喪失、例えば、スケジューリングアサインメントを喪失または逃したことにより、（意図した）スケジュールまたは設定と異なっている場合がある。
【００３０】
フィードバックサイズ指示は、一般的に、肯定応答シグナリングが関連するシグナリングをスケジューリングする１つまたは複数のスケジューリングアサインメントと別個に送信されてよい。とりわけ、指示は、異なるメッセージにおいて送信されてよい。
【００３１】
フィードバックシグナリングは、周波数がＰＵＳＣＨ送信と隣接している、および／またはＰＵＳＣＨ送信に含まれることが考えられ得る。このような送信は、例えば、ＰＵＳＣＨに対して設定された、関連のリソース構造上でのものであってよい。このような送信を利用することによって、フィードバックシグナリングに対するリソースの、柔軟性のあるリソース使用の効率化が可能になるが、フィードバックシグナリングと、（適正な）ＰＵＳＣＨシグナリング、例えば（ユーザ）データ送信との間の混乱状態を招く恐れがある。本明細書に説明されるアプローチはとりわけ、この文脈でこのような問題点を回避するのに適している。
【００３２】
フィードバックサイズ指示およびスケジューリングアサインメント指示は、別個のメッセージ、とりわけ、別個のまたは異なる制御シグナリングメッセージ、例えば、ＤＣＩメッセージのようなダウンリンク制御情報メッセージにおいて送信されてよい。
【００３３】
一般的に、スケジューリングアサインメントは、設定されたもしくはスケジューリングされた送信タイミング構造、および／または対応するメッセージもしくはレポートにおけるフィードバックシグナリングに対して、スケジューリングおよび／または設定されてよい。それ故に、フィードバックシグナリングは、例えば、関連の肯定応答シグナリングプロセスに関連している、スケジューリングアサインメント、例えば、ダウンリンクまたはサイドリンク送信によって指示される送信またはシグナリングに対して予想／スケジューリングされ得る。対応するパケットは、スケジューリングされたまたは設定されたフィードバックシグナリングの前に、同じ送信タイミング構造においてまたは異なる構造において送信されてよい。
【００３４】
総スケジューリングアサインメント指示は、（同じ）フィードバックシグナリングに対してスケジューリングされたまたは設定されたスケジューリングアサインメントの総数を表すことができる。スケジューリングアサインメント指示は、この総数までの値を表すことができる。代替的にはまたはさらに、総スケジューリングアサインメント指示は、フィードバックシグナリングに対して予想されるまたは設定されるビットの総数を表すことができる。フィードバックサイズ指示は、総スケジューリングアサインメント指示に基づいて判定されてよい。
【００３５】
スケジューリングアサインメント指示は、スケジューリングアサインメントにおいて、および／またはこのようなアサインメントを伝達するメッセージにおいて含まれてまたは送信されてよい。スケジューリングアサインメントは、スケジューリングアサインメント指示を含むように送信されてよく、とりわけ、それぞれのこのアサインメントは、異なるスケジューリングアサインメント指示を含んでよい。フィードバックサイズ指示は、異なるメッセージ、例えば、スケジューリンググラントにおいて含まれてまたは送信されてよい。スケジューリングアサインメント指示は、いくつかの別形ではスケジューリングアサインメント指示を含むスケジューリングアサインメントまでの番号を有するスケジューリングアサインメントのためのフィードバックシグナリングに対して予想またはスケジューリングされるビット数を表すことができる。カウンタを使用して、それぞれの送信またはスケジューリングされるスケジューリングアサインメントに対するビット数を算出することができる。
【００３６】
フィードバックサイズ指示は、スケジューリングアサインメント指示、とりわけ、総スケジューリングアサインメント指示に基づいて判定されてよい。このように判定することは、フィードバックサイズ指示を送信するまたは設定する無線ノードによって行われてよい。例えば、フィードバックサイズ指示は、総スケジューリングアサインメント指示の値に依存する関数に基づいて判定される数値を有することができる。例えば、モジュロ関数を使用することができる。モジュロ関数は、可能なモジュロ値がフィードバックサイズ指示に利用可能なビット数によって表されてよいように選定されてよい。例えば、２ビットにはモジュロ３関数が使用されてよく、３ビットにはモジュロ４が使用されてよい。
【００３７】
スケジューリングアサインメント指示は、スケジューリングアサインメントのカウンタ値または数を指示することができる。（例えば、同じシグナリング、メッセージ、またはレポートにおける）フィードバックシグナリングに対して送信される、スケジューリングされる、および／または設定されるそれぞれのスケジューリングアサインメントについて、数および／またはカウンタ値は、スケジューリングアサインメントを送信する無線ノードによって提供されて／増加させてよい。それ故に、それぞれのスケジューリングアサインメントは、先頭番号（例えば、規則に応じて、０または１）から、規則に応じて、スケジューリングアサインメントの総数Ｎ、例えば、ＮまたはＮ−１を表す値までの異なる番号を含んでよい。
【００３８】
いくつかの別形では、スケジューリングアサインメント指示は、それぞれのスケジューリングアサインメントに含まれてよいＤＡＩ（ダウンリンクアサインメントインデックス）であってよい。フィードバックサイズ指示は、関連のスケジューリングアサインメントの総数を表すことができる、フィードバックシグナリングに対して関連付けられたまたはスケジューリングされた最大のＤＡＩに基づいて（例えば、この指示を送信するまたは設定する無線ノードによって）判定可能である。フィードバックサイズは、スケジューリングアサインメント指示の最大値（例えば、指示されたスケジューリングアサインメントの最大数、またはフィードバックシグナリングに対する最大ビット数）、とりわけ、ＤＡＩに対する最大数または最大値によって受信されるスケジューリングアサインメントに基づいて、（例えば、フィードバックシグナリングを送信するノード／ＵＥによって）判定されることが考えられ得る。異なるメッセージ、レポート、送信タイミング構造、および／または送信発生に対してスケジューリングまたは設定されるフィードバックシグナリングについて、異なるカウンタ／数が使用されてよい、および／またはカウンタ／数が（例えば、規則に応じて、０または１に）再設定されてよいことは、留意されるべきである。
【００３９】
いくつかの論じられる別形によると、フィードバックサイズまたはリソース範囲は、２つの異なる指示に基づいて冗長的に判定されてよい。とりわけ、フィードバックサイズ指示は、例えば、スケジューリングアサインメント指示によって指示される情報が正確であるか否かを判定するために、誤り判定に使用されてよい。誤りが検出される場合、フィードバックサイズ／リソース範囲は、例えば、利用された関数、例えば、モジュロ値またはパリティ値に依存する最大値によって、スケジューリングアサインメント指示によって指示されるより大きいと判定される場合がある。フィードバックリソース範囲に、例えば、ビット、および／またはリソースもしくはリソースエレメントの数を表すフィードバックサイズが関連付けられてよいことは留意されるべきである。
【００４０】
さらに、処理回路に、本明細書に説明される方法を制御および／または実行させる命令を含むプログラム製品が開示される。
【００４１】
また、本明細書に説明されるプログラム製品を保持するおよび／または記憶するキャリア媒体配置構成について論じられている。
【００４２】
フィードバックリソース範囲はフィードバックサイズ指示に基づいて判定されることが考えられ得る。さらに、フィードバックリソース範囲は、（フィードバックリソース範囲に対するフィードバックもしくは肯定応答シグナリングを設定するもしくは指示することができる）受信されるおよび／もしくは復号されるスケジューリングアサインメントに基づくことができる、ならびに／または、例えば、受信されるスケジューリングアサインメントによって、該範囲に対してスケジューリングされるもしくは関連付けられる肯定応答シグナリングプロセスの数に基づくことができる。よって、フィードバックリソース範囲は、いくつかの別形では、異なるメッセージまたはメッセージのタイプ、例えば、スケジューリンググラントおよび１つまたは複数のスケジューリングアサインメントに依存するサイズを有することができる。グラントは、グラントを受信するノードによる送信のためのスケジューリングリソースに関連している場合があり、アサインメントはノードによって受信されるデータおよび／または送信を指示することができる。いくつかの別形では、フィードバックリソース範囲は（例えば、さらに）、設定、例えば、フィードバック設定または測定設定に基づいて判定されることが考えられ得る。測定設定は例えば、フィードバックシグナリングに含まれる、および／またはフィードバックリソース範囲を利用してシグナリングする測定レポート情報またはＣＳＩのタイミング、レート、および／またはサイズに関連し得る。
【００４３】
フィードバックシグナリングを送信する無線ノードまたはＵＥは、フィードバックリソース範囲を判定してよい、および／またはこのように判定するように適応されてよい。無線ノードまたはＵＥは、このように判定するために、および／または関連のシグナリングの受信のために、処理回路および／または無線回路、とりわけ、受信機および／または送受信機を利用することを含む、および／または利用するように適応されることが考えられ得る。代替的にはまたはさらに、無線ノードまたはＵＥは、対応する判定モジュールを含んでよい。
【００４４】
フィードバックシグナリングは、制御シグナリング、例えば、ＵＣＩ（アップリンク制御情報）シグナリングまたはＳＣＩ（サイドリンク制御情報）シグナリングのようなアップリンクまたはサイドリンク制御シグナリングの形態とみなされてよい。
【００４５】
肯定応答情報は、肯定応答シグナリングプロセス、例えば、ＡＣＫ、ＮＡＣＫ、またはＤＴＸに対する特定の値または状態の指示を含んでよい。このような指示は、例えば、ビット、ビット値、ビットパターン、または情報切り替えを表すことができる。例えば、受信されたデータ要素における受信の品質および／または誤り位置についての差別化した情報を提供する、異なるレベルの肯定応答情報は、制御シグナリングとみなされてよい、および／または制御シグナリングによって表されてよい。肯定応答情報は、一般的に、例えば、ＡＣＫ、ＮＡＣＫ、またはＤＴＸを表す、肯定応答、否定応答、非受信、またはこれらの異なるレベルを指示することができる。肯定応答情報は、１つの肯定応答シグナリングプロセスに関連し得る。肯定応答シグナリングは、１つまたは複数の肯定応答シグナリングプロセス、とりわけ、１つまたは複数のＨＡＲＱプロセスまたはＡＲＱプロセスに関連している肯定応答情報を含んでよい。肯定応答情報が関連するそれぞれの肯定応答シグナリングプロセスには、制御シグナリングの情報サイズの特定のビット数がアサインされることが考えられ得る。測定レポートシグナリングは、測定情報を含んでよい。
【００４６】
シグナリングは、一般的に、１つまたは複数のシンボル、信号、および／もしくはメッセージを含んでよい。信号は１つまたは複数のビットを含んでよい。指示は、シグナリングを表してよい、および／または、１つもしくは複数の信号として実施されてよい。１つまたは複数の信号はメッセージに含まれてよいおよび／またはメッセージによって表されてよい。シグナリング、とりわけ、制御シグナリングは、異なるキャリア上で送信されてよい、ならびに／または、例えば、１つもしくは複数のこのようなプロセスを表すおよび／もしくはこれに関連する異なる肯定応答シグナリングプロセスに関連付けられてよい、複数の信号および／またはメッセージを含むことができる。指示は、シグナリング、複数の信号、および／またはメッセージを含んでよい、および／または、これらに含まれてよく、これらは、異なるキャリア上で送信されてよい、ならびに／または、例えば、１つもしくは複数のこのようなプロセスを表すおよび／もしくはこれに関連する異なる肯定応答シグナリングプロセスに関連付けられてよい。
【００４７】
リソースまたはリソース構造を利用するシグナリングは、関連の周波数上でおよび／または関連の時間間隔でシグナリングする、リソースまたは構造に及ぶシグナリングであってよい。シグナリングリソース構造は、シグナリングの１つもしくは複数の異なるチャネルおよび／もしくはタイプに関連付けられてよい、ならびに／または、１つもしくは複数のホール（送信もしくは送信の受信のためにスケジューリングされないリソースエレメント）を含んでよい、１つまたは複数の下部構造を含むおよび／または包含することが考えられ得る。リソース構造、例えば、フィードバックリソース構造は、一般的に、関連の間隔の範囲内で、時間および／または周波数が連続する場合がある。下部構造、とりわけ、フィードバックリソース構造は、時間／周波数空間において１つまたは複数のリソースエレメントが充填される矩形を表すことが考えられ得る。しかしながら、場合によっては、周波数リソース範囲は、非連続パターンのリソースを表す場合がある。シグナリングリソース構造は、類似的に実装されてよい。下部構造のリソースエレメントは関連のシグナリングのためにスケジューリングされてよい。フィードバックリソース範囲は、例えば、この１つまたは複数のリソースエレメント上で、フィードバックシグナリング、例えば、測定レポートシグナリングおよび／または肯定応答シグナリングを含んでよいおよび／またはこれに関連付けられてよい。いくつかの別形では、このフィードバックリソース範囲は、追加のシグナリング、例えば、ＰＵＳＣＨ上での、例えば、制御シグナリング、および／またはユーザデータシグナリングのようなデータシグナリングを含んでよいおよび／またはこれに関連付けられてよい。フィードバックリソース範囲における種々のシグナリングは、例えば、スケジューリンググラントまたは他の制御シグナリングによって、設定されてよいまたは設定可能であってよいパターンに従って分布させることができる。
【００４８】
フィードバックリソース範囲は、レートマッチング、例えば、ＰＵＳＣＨ上で多重化されるかどうかに基づいて、判定されてよい。レートマッチングにおいて、ＰＵＳＣＨにアサインされるまたはこれのためにスケジューリングされるビットまたはリソースは、フィードバックシグナリング、例えば、肯定応答シグナリングに関連付けられたビットと置き換えられてよい。フィードバックリソース範囲は、設定される基準リソースエレメント、および／または送信タイミング構造におけるリソースの設定される配置に基づいて判定可能であることが考えられ得る。基準リソースエレメントまたは配置は、この範囲が、例えば、送信タイミング構造におけるリソースエレメントグリッド内の、時間／周波数空間においてどこに位置するものになるのかを指示することができる。基準リソースエレメントは、範囲に対する時間および／または周波数の境界を指示することができる。設定される複数のリソースエレメントがあってよい。
【００４９】
一般的に、リソースエレメント上で伝達可能である特定のシグナリングに関連付けられるビット数またはビットレートが、変調符号化方式（ＭＣＳ）に基づいてよいことは留意されるべきである。よって、ビットまたはビットレートは、例えば、ＭＣＳに応じて、周波数および／または時間におけるリソース構造または範囲を表すリソースの形態としてみられ得る。ＭＣＳは、例えば、制御シグナリング、例えば、ＤＣＩ、ＭＡＣ（媒体アクセス制御）、またはＲＲＣ（無線リソース制御）シグナリングによって、設定されてよいまたは設定可能であってよい。
【００５０】
制御情報の異なるフォーマット、例えば、物理アップリンク制御チャネル（ＰＵＣＣＨ）のような制御チャネルに対する異なるフォーマットが考えられ得る。ＰＵＣＣＨは、例えば、ＨＡＲＱフィードバック（ＡＣＫ／ＮＡＣＫ）のような肯定応答シグナリングを含んでよいアップリンク制御情報（ＵＣＩ）、および／または例えばチャネル品質情報（ＣＱＩ）を含む測定情報シグナリング、および／またはスケジューリング要求（ＳＲ）などの制御情報または対応する制御シグナリングを伝達することができる。サポートされるＰＵＣＣＨフォーマットのうちの１つは、短くてよく、例えば、スロット間隔の終わりに生じてよい、多重化されてよい、および／またはＰＵＳＣＨに隣接してよい。同様の制御情報は、サイドリンク上で、例えば、とりわけ、（Ｐ）ＳＣＣＨのような（物理）サイドリンク制御チャネル上でサイドリンク制御情報（ＳＣＩ）として提供可能である。
【００５１】
肯定応答シグナリングプロセスは、肯定応答シグナリング、例えば、ＨＡＲＱまたはＡＲＱフィードバックのような肯定応答フィードバックに基づいて、（例えば、データ要素の形態で）データを送信するおよび／または再送信するプロセスであってよい。肯定応答シグナリングは、例えば、対応するデータまたはデータ要素の正確な受信の肯定応答または否定応答を表すことができる、およびオプションとして、非受信の指示を表すことができる肯定応答情報を含むおよび／または表すことができる。とりわけ、肯定応答情報は、ＡＲＱ（自動再送要求）および／またはＨＡＲＱ（ハイブリッド自動再送要求）フィードバックを表すことができる。正確な受信は、例えば、データ要素が受信されることに基づくことができる、例えば、誤り検出および／または順方向誤り訂正符号化に基づいて、例えば、ＡＲＱまたはＨＡＲＱプロセスによる、正確な復号／復調を含むことができる。それに対応して、不正確な受信（否定応答）は、復号／復調中の誤りの検出を指す場合がある。非受信は、データ要素の非受信、および／または、データ要素に関連するマッピングを指示する肯定応答位置指示の非受信を指示することができる。非受信は、例えば、ＤＴＸ（不連続送信）および／またはＤＲＸ（不連続受信）指示によって指示されてよい。通信のどちら側にＤＴＸ／ＤＲＸがあってもよいことは留意されるべきである。肯定応答シグナリングを判定するおよび／または送信する無線ノードは、予想されるデータ要素を受信せずに、これを、ＤＴＸとしての肯定応答シグナリングで指示する場合があり、これによって、よりきめ細やかな肯定応答情報が可能になる。他方では、肯定応答シグナリングを受信する無線ノードは、予想される肯定応答信号を受信せず、これをＤＴＸイベントとして扱う場合がある。両方の種類のＤＴＸは、例えば、ＤＴＸ１およびＤＴＸ２として、または異なる方式に従って、別個に扱われてよい。肯定応答シグナリングの文脈におけるデータ要素は、とりわけ、肯定応答シグナリングプロセス、およびこのようなプロセスの文脈における１つまたは複数の送信の対象であってよいトランスポートブロックまたはコードブロックのようなデータブロックを表すことができる。肯定応答シグナリングプロセスは、プロセス識別子、例えば、ＨＡＲＱプロセス番号もしくは識別子、またはＡＲＱプロセス番号もしくは識別子のようなプロセス番号が関連付けられていてよい。肯定応答シグナリングプロセスに関連付けられる肯定応答情報は、例えば、１または２ビットを含むビット数またはビットパターンを含んでよい。ビット設定は、ＡＣＫもしくはＮＡＣＫ（例えば、１もしくは０、もしくは１１もしくは００）を表すことができ、または、いくつかの別形では、ＤＲＸ／ＤＴＸもしくは同様のものを含むことができる。肯定応答シグナリングプロセスは、データストリームおよび／もしくはチャネルもしくはデータブロックに、ならびに／または、データストリームおよび／もしくはチャネルの文脈における送信、もしくはデータ要素もしくはデータブロックの送信に関連付けられてよい。バッファまたはメモリは、肯定応答シグナリングプロセスに関連付け可能である。肯定応答シグナリングプロセス、例えば、ＨＡＲＱプロセスは、ソフトコンバイニング、ならびに／または、順方向誤り訂正および／もしくは誤り検出方式を含んでよい。
【００５２】
肯定応答シグナリングプロセスに関連付けられた送信、および／または関連のリソースもしくはリソース構造は、例えば、スケジューリングアサインメントによって設定および／またはスケジューリングされてよい。スケジューリングアサインメントは、制御シグナリング、例えば、ダウンリンク制御シグナリングまたはサイドリンク制御シグナリングが設定されてよい。このような制御シグナリングは、スケジューリング情報を指示することができるスケジューリングシグナリングを表すおよび／または含むことが考えられ得る。スケジューリングアサインメントは、シグナリングのスケジューリング／シグナリングの送信を指示するスケジューリング情報とみなされてよい。スケジューリングアサインメントは、データ（例えば、データブロックもしくは要素、チャネル、および／もしくはデータストリーム）、（関連の）肯定応答シグナリングプロセス、データ（もしくは場合によっては、参照シグナリング）が受信されるリソース、ならびに／または、関連のフィードバックシグナリングが送信されるフィードバックリソース範囲を指示してよいことが考えられ得る。種々のスケジューリングアサインメントは種々の肯定応答シグナリングプロセスに関連付けられてよい。一般的に、１つまたは複数のスケジューリングアサインメントは、例えば、１つもしくは複数の異なるメッセージにおいて、フィーバックサイズ指示と別個に、または、少なくとも１つのシンボル時間間隔および／もしくはサブキャリアによって時間および／もしくは周波数において別個であるように送信されることが考えられ得る。いくつかの別形では、メッセージは複数のスケジューリングアサインメントを含んでよい。さらにまた、例えば、同じメッセージにおいて、および／または関連のメッセージもしくはシグナリングフォーマットに従って、スケジューリンググラントが１つまたは複数のスケジューリングアサインメントと共に送信されることが考えられ得る。このようなグラントがかなりの範囲のリソースに及ぶ場合があるため、スケジューリングアサインメントを受信すること／復号することは、グラントが正確に受信／識別される場合でも依然失敗する場合がある。
【００５３】
一般的に、フィードバックリソース範囲および／またはシグナリングリソース範囲は、１つの、例えば、同じ送信タイミング構造、例えば、スロット、ＰＲＢ、またはミニスロット内で、配置、スケジューリング、および／または設定されることが考えられ得る。
【００５４】
図面は、本明細書に説明される概念およびアプローチを示すために提供され、これらの範囲を限定することは意図されていない。
【図面の簡単な説明】
【００５５】
【図１】ＰＵＳＣＨおよびＰＵＣＣＨリソース範囲によるスロット間隔を示す図である。
【図２】ユーザ機器として実装される例示の無線ノードを示す図である。
【図３】ネットワークノードとして実装される例示の無線ノードを示す図である。
【発明を実施するための形態】
【００５６】
下記において、例として、ＮＲ技術の文脈における概念およびアプローチについて説明する。
【００５７】
ＮＲの動作は、ＵＥからネットワークへのさまざまな制御情報の送信を必要とする。アップリンク制御情報（ＵＣＩ）の例には、ハイブリッドＡＲＱ肯定応答（肯定応答シグナリング）およびチャネル状態情報（測定レポート）がある。ＵＣＩは、例えば、
−例えば、スロットの終わりにもしくはスロットの間に生じる別個の制御チャネルであるＰＵＣＣＨ上で送信可能である、および／または
−データと多重化されかつＰＵＳＣＨ上で送信可能である（「ＰＵＳＣＨ上のＵＣＩ」）。
【００５８】
ＵＣＩおよびデータの多重化は、例えばレートマッチングに基づいて、すなわち、ＵＣＩのための「場所を作る」ようにデータを表す符号化ビットのセットを調節するために、異なるやり方で提供可能である。ＵＥおよびネットワークは、ＵＣＩが存在するか否かについて共通の理解を有するべきであり、そうでなければネットワークはアップリンクデータを復号することができない場合がある。
【００５９】
ＵＣＩの存在に関する、ＵＥとネットワークとの間の矛盾は、例えば、先のスロットにおいて逃したスケジューリングアサインメントにより生じる可能性がある。このような場合、ネットワークは、ＵＥが、ダウンリンクデータ送信に関する肯定応答を送信することを予想するが、ＵＥが先のスロットにおいて（または、いくつかの応用では、同じスロットにおいてより早く）スケジューリングアサインメントを受信しなかったため、いずれのハイブリッドＡＲＱフィードバックも含まれないことになる。
【００６０】
フィードバック情報の量（サイズ）、とりわけ、ハイブリッドＡＲＱ肯定応答の量は、時間的に変化する場合がある。変化の１つの理由として、１つのアップリンクスロットにおいて肯定応答するための（スロットおよび／またはキャリアにわたる）ダウンリンク送信の数が変化するためである場合がある。肯定応答するための単一のトランスポートブロックのみがある時があり、複数のトランスポートブロック（いくつかのダウンリンクスロット、いくつかのキャリア）、またはさらには、複数のコードブロック群があり得る時もある（トランスポートブロックは複数のコードブロックで構成され、コードブロック群単位の肯定応答についての可能性を有することが合意されている）。
【００６１】
ＵＣＩの有無を指示するためにアップリンクグラントにおいて単一のビットを使用することは、劇的に変化するＵＣＩサイズの場合効率的でない恐れがある。可能な最大ＵＣＩサイズは、少数のＵＣＩビットのみが送信される場合でも使用されなければならない場合がある。
【００６２】
例えば、フィードバックシグナリングサイズ／ＵＣＩが、全くない、小さい、中くらいである、および大きいといった、複数のフィードバックシグナリング、ＵＣＩサイズ、またはサイズ範囲の指示を可能にすることが提案されている。これは、アップリンクオーバーヘッドの縮小を容易にすることができる。それぞれのこのようなサイズ分類には、リソースおよび／もしくはビットのサイズ、またはビットレートが、関連付けられてよい、例えば、設定されてよいまたは設定可能であってよい。
【００６３】
ＵＣＩ（フィードバックサイズ指示）のために確保するためのリソースの量についてのスケジューリンググラントにおける情報を含むことが、いくつかの別形に対して示唆されている。例えば、サイズまたはサイズクラス／範囲が、全くない／小さい／中くらいである／大きいことを指示する少数のビットは、ＤＣＩオーバーヘッドを増大させ過ぎないようにするためには十分であり得る。しかしながら、連続的なサイズ（例えば、整数）の範囲のうちのあるサイズを指示するパラメータのインデックスによる直接指示は、わずかに大きくなるオーバーヘッドの精度を高めるために考慮され得る。クラスまたは範囲に関連付けられるサイズは、例えば、上位層制御シグナリング、例えば、ＭＡＣまたはＲＲＣシグナリングに基づいて、設定されてよいまたは設定可能であってよい。
【００６４】
ＵＥは、サイズ指示と共に受信されるサイズ情報に基づいてＵＣＩのためのリソースを確保することができる。リソース全てを必要としないハイブリッドＡＲＱ肯定応答の場合、ＵＥは、例えば、１つまたは複数のスケジューリングアサインメントを逃した、および／またはＵＥが（ネットワークノードを表す）ネットワークによって送信されるスケジューリングアサインメントに従って予想されるよりも少ない数のプロセスについての肯定応答情報を提供する場合、確保したリソースを満たすためにメッセージをパディングすることができる。同様に、フィードバックするためのハイブリッドＡＲＱ情報の量が確保されたリソースの量より大きい場合、ＵＥは、例えば、送信を共にグループ化すること、およびグループのメンバ全てが正確に受信される場合にのみＡＣＫをレポートすることによって、情報をどのように圧縮するかについてのいくつかのあらかじめ定められたルールに従う必要がある。
【００６５】
ＤＣＩにおいて受信されたサイズ情報に加えて、ＵＣＩのために使用するためのリソースの量は、設定、例えば、測定設定に依存し得る。例えば、周期的なＣＳＩレポートが設定されており、かつレポートがスロットにおいて送信される場合、ＵＥは、「大きい」ことが、周期的なＣＳＩレポートがないスロットにおいて受信された「大きい」ことよりも、ＰＵＳＣＨ上のＵＣＩに対するビットがより多いことを意味することを知っている。ＤＣＩにおけるサイズ情報はまた、他のＤＣＩ情報と組み合わせて解釈可能であり、例えば、ＤＣＩがこのスロットにおける非周期的なＣＳＩレポートの送信を指示する場合、サイズ情報は、要求される非周期的なＣＳＩがない場合と異なって解釈されるべきである。
【００６６】
以下では、ＵＬグラントにおける少数のビットが、スケジューリングされたアサインメントの量に「対する」ＵＣＩのために必要とされるリソースをどのように指示することができるかについての例が略述される。
【００６７】
それぞれのＴＢ（トランスポートブロック）、または一般的には肯定応答シグナリングプロセスの対象であるデータブロックが（ビットにおける）同じ量のフィードバックを必要とすることが考えられると想定すると、ＡＣＫ／ＮＡＣＫフィードバックサイズは、ＮＤＬ  ａｓｓｉｇｎｍｅｎｔｓ・Ｎとして算出可能であり、ここで、ＮＤＬ  ａｓｓｉｇｎｍｅｎｔｓはＤＬアサインメントの数であり、Ｎはデータブロック／トランスポートブロックごとに必要とされるＨＡＲＱフィードバックビットの数である。ＵＬグラント（スケジューリンググラント）は、スケジューリングされたアサインメントの数ＮＤＬ  ａｓｓｉｇｎｍｅｎｔｓを入力とする符号／関数によって生成されるパリティビットＰを表す小さいビットフィールドを含有することが可能である。パリティビットＰと共に（誤りによりスケジューリングされたアサインメントの数ＮＤＬ  ａｓｓｉｇｎｍｅｎｔｓより小さい可能性がある）受信したアサインメントの数Ｎ’ＤＬ  ａｓｓｉｇｎｍｅｎｔｓによって、ＵＥはスケジューリングされたアサインメントの数ＮＤＬ  ａｓｓｉｇｎｍｅｎｔｓまたは少なくともこの有用な推定値を判定することが可能になる。ＵＥは、ＮＤＬ  ａｓｓｉｇｎｍｅｎｔｓ（または推定値）およびＮを知っている場合、ｅ／ｇＮＢがＵＣＩ／フィードバックリソース範囲について想定するリソースのサイズを判定することができる。誤りの事例は回避可能である。Ｐは、この場合、フィードバックサイズ指示とみなされてよい。
【００６８】
ビットフィールドＰを算出するための１つの可能な選定は、モジュロ演算に基づくことが可能である。（０〜３を表すことができる）２ビットのビットフィールドサイズは、ビットフィールドＰに対して想定可能である。コードポイント０（ビットフィールド設定００）は、「ＡＣＫ／ＮＡＣＫを含まない」ことを指示するために確保されてよい。ビットフィールドはさらにまた、ＮＤＬ  ａｓｓｉｇｎｍｅｎｔｓ＞０に対してＰ＝１＋（ＮＤＬ  ａｓｓｉｇｎｍｅｎｔｓ  ｍｏｄ  ４）として算出可能であり、かつＵＬグラントに含まれ得る。ＵＥは、Ｎ’ＤＬ  ａｓｓｉｇｎｍｅｎｔｓアサインメントを受信し、かつ
2022000959.tif 000003
を算出する。
2022000959.tif 000004
は、最高２つの逃したアサインメントまでについて正であり、有用な推定値を表す。Ｐが３ビットサイズのものとなる場合、最高６つの逃したアサインメントまでが訂正可能である。表１では、最高５つのスケジューリングアサインメントまでで、ＵＥが１つのＤＬアサインメント（Ｐは２ビット幅である）を逃した場合の事例が示されている。表２は、２つの逃したアサインメントそれぞれによる同じ例を示す。それぞれのアサインメントは、１つの肯定応答シグナリングプロセスに関連することが考えられ得る。モジュロ関数は、この場合、否定演算子に対しても０〜２にわたって環状を形成することが想定される。ＵＥのような無線ノードは、本明細書に説明されるように、それぞれ関連の周波数リソース範囲のフィードバックサイズを判定するように適応されてよい。
【００６９】
Ｎ’ＤＬ  ａｓｓｉｇｎｍｅｎｔｓおよびＰに基づいてＮＤＬ  ａｓｓｉｇｎｍｅｎｔｓまたは有用な推定値を算出可能である限り、Ｐを算出するためのｍｏｄ関数以外の関数も同様に考えられ得る。
2022000959.tif 000005
2022000959.tif 000006
【００７０】
図１に示されるように、ＰＵＣＣＨがスケジューリングされたＰＵＳＣＨ領域内にあり得る、ならびに／または時間および／もしくは周波数空間において隣接し得るような、ＰＵＳＣＨおよびＰＵＣＣＨの同時送信が考えられ得る。図１は、別個の／非同時のＰＵＳＣＨおよびＰＵＣＣＨと比較して、例示のために、ＰＵＣＣＨがＰＵＳＣＨ領域にどのように移るのかを指示している。この場合でも、ｅ／ｇＮＢは、ＵＣＩがスケジューリングされたＰＵＳＣＨ領域内に含まれることを、および、リソースがいくつであるかについて、知っていなければならない。上で略述されるのと同じアプローチがここでも適用される。
【００７１】
とりわけ、図１は、ＰＵＳＣＨおよびＰＵＣＣＨの同時送信の場合、ＰＵＣＣＨリソースがＰＵＳＣＨおよびＰＵＣＣＨの同時送信（破線のＰＵＣＣＨは送信されない）のためにＰＵＳＣＨ内にどのように移るのかを示している。ＰＵＣＣＨの領域は、フィードバックリソース範囲を表すとみなされてよく、ＰＵＳＣＨの領域はこの場合、シグナリングリソース範囲を表すとみなされてよい。
【００７２】
図２は、とりわけ、ＵＥ（ユーザ機器）として実装されてよい、無線ノード、とりわけ、端末または無線デバイス１０を概略的に示す。無線ノード１０は、メモリに接続されるコントローラを含むことができる（制御回路と称される場合もある）処理回路２０を含む。無線ノード１０の任意のモジュール、例えば、通信モジュールまたは判定モジュールは、処理回路２０によって、とりわけ、コントローラにおけるモジュールとして実装されてよい、および／またはこれによって実行可能であってよい。無線ノード１０は、受信および送信、または送受信機能性（例えば、１つまたは複数の送信機、受信機、および／または送受信機）を提供する無線回路２２も含み、この無線回路２２は処理回路に接続されるまたは接続可能である。無線ノード１０のアンテナ回路２４は、信号を収集するもしくは送る、および／または増幅するために無線回路２２に接続されるまたは接続可能である。無線回路２２、およびこの無線回路２２を制御する処理回路２０は、ネットワーク、例えば、本明細書に説明されるようなＲＡＮとのセルラー通信に対して、および／またはサイドリンク通信に対して設定される。無線ノード１０は一般的に、本明細書に開示される端末またはＵＥのような無線ノードを動作させる方法のいずれかを実行するように適応されてよく、とりわけ、対応する回路、例えば、処理回路、および／またはモジュールを含んでよい。
【００７３】
図３は、とりわけ、ネットワークノード１００、例えば、ＮＲに対する、ｅＮＢ、ｇＮＢ、または同様のものとして実装可能である無線ノード１００を概略的に示す。無線ノード１００は、メモリに接続されるコントローラを含むことができる（制御回路とも称される場合がある）処理回路１２０を含む。任意のモジュール、例えば、ノード１００の送信モジュール、受信モジュール、および／または設定モジュールは、処理回路１２０に実装されてよい、および／またはこれによって実行可能であってよい。処理回路１２０は、（例えば、１つまたは複数の送信機、受信機、および／または送受信機を含む）受信機および送信機、ならびに／または送受信機機能性を提供する、ノード１００の無線回路１２２を制御するために接続される。アンテナ回路１２４は、信号の受信もしくは送信、および／または増幅のために無線回路１２２に接続されてよいまたは接続可能であってよい。ノード１００は、本明細書に開示される無線ノードまたはネットワークノードを動作させる方法のいずれかを実行するように適応されてよく、とりわけ、対応する回路、例えば、処理回路、および／またはモジュールを含んでよい。アンテナ回路１２４は、アンテナアレイに接続されてよいおよび／またはこれを含んでよい。この回路に対応するノード１００は、本明細書に説明されるようなネットワークノードまたは無線ノードを動作させる方法のいずれかを実行するように適応されてよい。
【００７４】
ミニスロットのタイミングは一般的に、とりわけ、ネットワークおよび／またはネットワークノードによって設定されてよいまたは設定可能であってよい。タイミングは、送信タイミング構造の任意のシンボル、とりわけ、１つまたは複数のスロットにおいて開始および／または終了するように設定可能であってよい。
【００７５】
送信タイミング構造、シンボル、スロット、ミニスロット、サブキャリア、および／またはキャリアのような特定のリソース構造への言及は、特定のヌメロロジーに関連する場合があり、これは、あらかじめ定められてよい、および／または、設定されてよいもしくは設定可能であってよい。送信タイミング構造は、１つまたは複数のシンボルに及ぶことができる時間間隔を表すことができる。送信タイミング構造のいくつかの例は、サブフレーム、スロット、およびミニスロットである。スロットは、所定の、例えば、あらかじめ定められた、および／または設定されたもしくは設定可能なシンボルの数、例えば、６もしくは７、または１２もしくは１４を含んでよい。ミニスロットは、スロットのシンボルの数より小さい（とりわけ、設定可能であってよいまたは設定されてよい）シンボルの数、とりわけ、１、２、３、または４シンボルを含んでよい。送信タイミング構造は、使用されるシンボル時間長および／またはサイクリックプレフィックスに依存している場合がある特定の長さの時間間隔に及んでよい。送信タイミング構造は、例えば、通信のために同期される、時間ストリームにおける特定の時間間隔に関連してよいおよび／または及ぶことができる。送信のために使用されるおよび／またはスケジューリングされるタイミング構造、例えば、スロットおよび／またはミニスロットは、他の送信タイミング構造によって提供されるおよび／または規定されるタイミング構造との関連でスケジューリングされてよい、および／またはこれに同期されてよい。このような送信タイミング構造は、例えば、最小のタイミング単位を表す個々の構造内のシンボル時間間隔によるタイミンググリッドを規定することができる。このようなタイミンググリッドは例えば、スロットまたはサブフレームによって規定されてよい（場合によっては、サブフレームはスロットの特定の別形とみなされる場合がある）。送信タイミング構造は、場合によって、使用されるサイクリックプレフィックスに加えてこのシンボルの持続時間に基づいて判定される持続時間（時間の長さ）を有することができる。送信タイミング構造のシンボルは、同じ持続時間を有してよい、またはいくつかの別形では、異なる持続時間を有してよい。送信タイミング構造におけるシンボルの数は、あらかじめ定められてよい、設定されてよいもしくは設定可能であってよい、ならびに／またはヌメロロジーに依存してよい。
【００７６】
一般的に、とりわけ、処理回路および／または制御回路上で実行される時、処理回路および／または制御回路に、本明細書に説明される任意の方法を実行させるおよび／または制御させるように適応される命令を含むプログラム製品があることが考えられる。また、本明細書に説明されるようなプログラム製品を保持するおよび／または記憶するキャリア媒体配置構成があることが考えられる。
【００７７】
キャリア媒体配置構成は、１つまたは複数のキャリア媒体を含んでよい。一般的に、キャリア媒体は、処理回路または制御回路によってアクセス可能、読み出し可能、および／または受信可能であってよい。データ、プログラム製品、および／またはコードを記憶することは、データ、プログラム製品、および／またはコードを保持することの一部とみられる場合がある。キャリア媒体は一般的に、ガイド／トランスポート媒体および／または記憶媒体を含むことができる。ガイド／トランスポート媒体は、信号、とりわけ、電磁信号、電気信号、磁気信号、および／または光信号を保持するように適応されてよい、保持してよい、および／または記憶してよい。キャリア媒体、とりわけ、ガイド／トランスポート媒体は、このような信号を案内してこれらを保持するように適応されてよい。キャリア媒体、とりわけ、ガイド／トランスポート媒体は、例えば、無線波もしくはマイクロ波といった電磁場、ならびに／または、例えば、グラスファイバおよび／もしくはケーブルといった光学的に伝送可能な材料を含んでよい。記憶媒体は、揮発性または不揮発性であり得るメモリ、バッファ、キャッシュ、光ディスク、磁気メモリ、フラッシュメモリなどの少なくとも１つを含んでよい。
【００７８】
一般に、ヌメロロジーおよび／またはサブキャリア間隔は、キャリアのサブキャリアの（周波数領域における）帯域幅、キャリアにおけるサブキャリアの数、および／またはキャリアにおけるサブキャリアの番号付けを指示することができる。異なるヌメロロジーは、とりわけ、サブキャリアの帯域幅が異なっている場合がある。いくつかの別形では、キャリアにおけるサブキャリア全ては、これらに関連付けられる同じ帯域幅を有する。ヌメロロジーおよび／またはサブキャリア間隔は、とりわけ、サブキャリア帯域幅に関して、キャリア間で異なっていてよい。シンボル時間長、および／またはキャリアに関連するタイミング構造の時間長は、キャリア周波数、サブキャリア間隔、および／またはヌメロロジーに依存していてよい。とりわけ、異なるヌメロロジーは、異なるシンボル時間長を有してよい。
【００７９】
シグナリングは一般的に、１つまたは複数のシンボル、信号、および／またはメッセージを含んでよい。信号は、１つまたは複数のビットを含むことができる。指示は、シグナリングを表してよい、および／または１信号としてもしくは複数の信号として実施されてよい。１つまたは複数の信号は、メッセージに含まれてよい、および／またはメッセージによって表されてよい。シグナリング、とりわけ、制御シグナリングは、複数の信号および／またメッセージを含んでよく、これらは異なるキャリア上で送信されてよい、ならびに／または、例えば、１つもしくは複数のこのようなプロセスおよび／もしくは対応する情報を表すおよび／もしくはこれらに関連する、異なるシグナリングプロセスに関連付けられてよい。指示は、シグナリング、複数の信号、および／またはメッセージを含んでよい、および／またはこれらに含まれてよく、この指示は、異なるキャリア上で送信されてよい、ならびに／または、異なる肯定応答シグナリングプロセスに、例えば、１つもしくは複数のこのようなプロセスを表すおよび／もしくはこれらに関連するように、関連付けられてよい。
【００８０】
アップリンクまたはサイドリンクシグナリングは、ＯＦＤＭＡ（直交周波数分割多元接続）またはＳＣ−ＦＤＭＡ（シングルキャリア周波数分割多元接続）シグナリングであってよい。ダウンリンクシグナリングは、とりわけ、ＯＦＤＭＡシグナリングであってよい。しかしながら、シグナリングはこれらに限定されない（フィルタバンクベースのシグナリングは１つの代替策とみなされ得る）。
【００８１】
無線ノードは一般的に、無線および／もしくは無線通信（および／もしくはマイクロ波）の周波数通信、ならびに／または、例えば、通信標準に従って、エアインターフェースを利用する通信に適応されるデバイスまたはノードとみなされ得る。
【００８２】
無線ノードは、ネットワークノード、ユーザ機器、または端末であってよい。ネットワークノードは、とりわけ、本明細書に説明されるようなＲＡＮのための、無線通信ネットワークの任意の無線ノード、例えば、基地局、ｇＮｏｄｅＢ（ｇＮＢ）、ｅＮｏｄｅＢ（ｅＮＢ）、中継ノード、マイクロ／ナノ／ピコ／フェムトノード、および／または他のノードであってよい。
【００８３】
無線デバイス、ユーザ機器（ＵＥ）、および端末という用語は、本開示の文脈において互換性があるとみなされてよい。無線デバイス、ユーザ機器、または端末は、無線通信ネットワークを利用する通信のための端末デバイスを表すことができる、および／または、標準に従ってユーザ機器として実装されてよい。ユーザ機器の例には、スマートフォンのような電話、個人用通信デバイス、携帯電話もしくは端末、コンピュータ、とりわけラップトップ、無線能力を有する（および／もしくはエアインターフェースに適応された）、とりわけ、ＭＴＣ（Ｍ２Ｍ（マシンツーマシン）と称される時もあるマシン型通信）のためのセンサもしくはマシン、または、無線通信に適応された車両が含まれてよい。ユーザ機器または端末は、モバイルまたは据え置き型であってよい。
【００８４】
無線ノードは、一般的に、処理回路および／または無線回路を含むことができる。回路は集積回路を含んでよい。処理回路は、１つもしくは複数のプロセッサおよび／もしくはコントローラ（例えば、マイクロコントローラ）、ならびに／または、ＡＳＩＣ（特定用途向け集積回路）および／もしくはＦＰＧＡ（フィールドプログラマブルゲートアレイ）、もしくは同様のものを含むことができる。処理回路が、１つまたは複数のメモリまたはメモリ配置構成を含む、および／またはこれらに（動作可能に）接続されるもしくは接続可能であることが考えられ得る。メモリ配置構成は、１つまたは複数のメモリを含んでよい。メモリはデジタル情報を記憶するように適応されてよい。メモリについての例には、揮発性および不揮発性メモリ、ランダムアクセスメモリ（ＲＡＭ）、読み出し専用メモリ（ＲＯＭ）、磁気および／もしくは光メモリ、フラッシュメモリ、ハードディスクメモリ、ならびに／または、ＥＰＲＯＭもしくはＥＥＰＲＯＭ（消去可能プログラマブルＲＯＭもしくは電気的消去可能プログラマブルＲＯＭ）が含まれる。無線回路は、１つもしくは複数の送信機、受信機、および／もしくは送受信機を含んでよい（送受信機は、送信機および受信機として動作してよいもしくは動作可能であってよい、ならびに／または、例えば、１つのパッケージまたはハウジングにおいて受信および送信するための接合もしくは分離回路を含んでよい）、１つまたは複数の増幅器、発振器、および／またはフィルタを含んでよい、ならびに／あるいはアンテナ回路および／または１つもしくは複数のアンテナを含んでよい、および／またはこれらに接続されてよいもしくは接続可能であってよい。
【００８５】
本明細書に開示されるモジュールの任意の１つまたは全ては、ソフトウェア、ファームウェア、および／またはハードウェアにおいて実装されてよい。異なるモジュールは、無線ノードの異なるコンポーネント、例えば、異なる回路、もしくは回路の異なる部分に関連付けられてよい。モジュールは異なるコンポーネントおよび／または回路にわたって分布させることが考えられ得る。本明細書に説明されるようなプログラム製品は、プログラム製品が実行される（実行は関連の回路上で行われてよい）ことが意図されるデバイス（例えば、ユーザ機器またはネットワークノード）に関連しているモジュールを含んでよい。
【００８６】
無線アクセスネットワークは、とりわけ、通信標準による、無線通信ネットワークおよび／または無線アクセスネットワーク（ＲＡＮ）であってよい。通信標準は、とりわけ、３ＧＰＰおよび／または５Ｇによる、例えば、ＮＲまたはＬＴＥ、とりわけ、ＬＴＥエボリューションによる標準であってよい。
【００８７】
無線通信ネットワークは、コアネットワークに接続されてよいまたは接続可能であってよい任意の種類のセルラーおよび／または無線の無線通信ネットワークであってよいおよび／またはこれを含んでよい無線アクセスネットワーク（ＲＡＮ）であってよいおよび／またはこれを含んでよい。本明細書に説明されるアプローチは、とりわけ、５Ｇネットワーク、例えば、ＬＴＥエボリューションおよび／またはＮＲ（新無線）、これらをそれぞれ後継するものに適している。ＲＡＮは、１つまたは複数のネットワークノードを含むことができる。ネットワークノードは、とりわけ、１つまたは複数の端末との無線通信、無線、および／またはセルラー通信に適応される無線ノードであってよい。端末は、ＲＡＮとのまたはこの範囲内での無線通信、無線、および／またはセルラー通信に適応される任意のデバイス、例えば、ユーザ機器（ＵＥ）、携帯電話、スマートフォン、コンピューティングデバイス、車両通信デバイス、またはマシン型通信（ＭＴＣ）などのためのデバイスなどであってよい。端末は、モバイル、または場合によっては据え置き型であってよい。
【００８８】
ダウンリンクにおける送信は、ネットワークまたはネットワークノードから端末への送信に関連し得る。アップリンクにおける送信は、端末からネットワークまたはネットワークノードへの送信に関連し得る。サイドリンクにおける送信は、端末間での（直接）送信に関連し得る。アップリンク、ダウンリンク、およびサイドリンク（例えば、サイドリンク送信および受信）は、通信方向とみなされてよい。いくつかの別形では、アップリンクおよびダウンリンクはまた、例えば、無線迂回中継および／もしくは中継通信のためのネットワークノード間の説明した無線通信、ならびに／または、例えば、基地局もしくは同様のネットワークノード間の（無線）ネットワーク通信、とりわけ、このような基地局もしくは同様のネットワークノードで終止する通信に使用されてよい。迂回中継、中継通信、および／またはネットワーク通信は、サイドリンク通信またはこれと同様のものの形態として実施されることが考えられ得る。
【００８９】
シグナリングは、一般的に、１つもしくは複数の信号および／または１つもしくは複数のシンボルを含んでよい。制御情報、制御情報メッセージ、または対応するシグナリング（制御シグナリング）は、制御チャネル、例えば、ダウンリンクチャネル（または、場合によってはサイドリンクチャネル、例えば、別のＵＥをスケジューリングする１つのＵＥ）であってよい物理制御チャネル上で送信されてよい。例えば、制御情報／割り当て情報は、ＰＤＣＣＨ（物理ダウンリンク制御チャネル）、ＰＤＳＣＨ（物理ダウンリンク共有チャネル）、および／またはＨＡＲＱに特有のチャネル上でネットワークノードによってシグナリングされてよい。例えば、アップリンク制御情報の形態としての肯定応答シグナリングは、ＰＵＣＣＨ（物理アップリンク制御チャネル）、ＰＵＳＣＨ（物理アップリンク共有チャネル）、および／またはＨＡＲＱに特有のチャネル上で端末によって送信されてよい。複数のチャネルは、マルチコンポーネント／マルチキャリア指示またはシグナリングに適用され得る。
【００９０】
シグナリング、とりわけ、例えば、肯定応答シグナリングおよび／またはリソース要求情報を含むまたは表す、制御シグナリングを送信することは、コード化することおよび／または変調することを含んでよい。コード化することおよび／または変調することは、誤り検出符号化、前方誤り訂正コード化、および／またはスクランブリングを含むことができる。制御シグナリングを受信することは対応する復号および／または復調を含むことができる。誤り検出符号化は、パリティまたはチェックサムアプローチ、例えば、ＣＲＣ（巡回冗長検査）を含んでよいおよび／またはこれに基づいてよい。前方誤り訂正符号化は、例えば、ターボ符号化、リード−マラー符号化、極性符号化、および／またはＬＤＰＣ符号化（低密度パリティ検査）を含んでよい、および／またはこれらに基づいてよい。使用される符号化のタイプは、符号化信号が関連付けられるチャネル（例えば、物理チャネル）に基づいてよい。
【００９１】
指示は一般的に、表すおよび／または指示する情報を明示的におよび／または暗黙的に指示することができる。暗黙的な指示は、例えば、送信に使用される位置および／またはリソースに基づいてよい。明示的な指示は、例えば、１つもしくは複数のパラメータ、１つもしくは複数のインデックス、および／または情報を表す１つもしくは複数のビットパターンによるパラメータ付けに基づいてよい。とりわけ、本明細書に説明されるような制御シグナリングは、利用されるリソースシーケンスに基づいて、制御シグナリングタイプを暗黙的に指示することが考えられ得る。
【００９２】
リソースエレメントは一般的に、最小の、個々に使用可能な、コード化可能な、復号可能な、変調可能な、および／もしくは復調可能な時間周波数リソースを表すことができる、ならびに／または、時間におけるシンボル時間長および周波数におけるサブキャリアに及ぶ時間周波数リソースを表すことができる。信号は、リソースエレメントに割り当て可能であってよいおよび／または割り当てられてよい。サブキャリアは、例えば、標準によって規定されるように、キャリアのサブバンドであってよい。キャリアは、送信および／または受信についての周波数および／または周波数帯域を規定することができる。いくつかの別形では、（合同でコード化／変調された）信号は複数のリソースエレメントに及ぶことができる。リソースエレメントは一般的に、対応する標準、例えば、ＮＲまたはＬＴＥによって規定されるようなものであってよい。シンボル時間長および／またはサブキャリア間隔（および／またはヌメロロジー）は、異なるシンボルおよび／またはサブキャリア間で異なっている場合があるため、異なるリソースエレメントは、時間および／または周波数領域、とりわけ、異なるキャリアに関連するリソースエレメントにおいて異なる拡張（長さ／幅）を有することができる。
【００９３】
リソースは一般的に、時間周波数および／またはコードリソースを表すことができ、これについて、例えば、特定のフォーマットによるシグナリングは、通信可能である、例えば、送信および／もしくは受信可能である、ならびに／または送信および／もしくは受信を対象としてよい。
【００９４】
境界シンボルは、一般的に、送信するための開始シンボル、または受信するための終了シンボルを表すことができる。開始シンボルは、とりわけ、アップリンクまたはサイドリンクシグナリング、例えば、制御シグナリングまたはデータシグナリングの開始シンボルであってよい。このようなシグナリングはデータチャネルまたは制御チャネル、例えば、物理チャネル、とりわけ、（ＰＵＳＣＨのような）物理アップリンク共有チャネル、サイドリンクデータ、もしくは共有チャネル、または、（ＰＵＣＣＨのような）物理アップリンク制御チャネルもしくはサイドリンク制御チャネル上のものであってよい。開始シンボルが（例えば、制御チャネル上で）制御シグナリングに関連付けられる場合、制御シグナリングは、例えば、ＨＡＲＱまたはＡＲＱシグナリングであってよい、関連付けられる肯定応答シグナリングを表す、（サイドリンクまたはダウンリンクにおいて）受信したシグナリングに応答するものであってよい。終了シンボルは、無線ノードまたはユーザ機器を対象としてよいまたはこれのためにスケジューリングされてよい、ダウンリンクもしくはサイドリンク送信またはシグナリングの（時間における）終了シンボルを表すことができる。このようなダウンリンクシグナリングは、とりわけ、例えば共有チャネルのような物理ダウンリンクチャネル、例えば、ＰＤＳＣＨ（物理ダウンリンク共有チャネル）上のデータシグナリングであってよい。開始シンボルは、このような終了シンボルに基づいておよび／またはこれとの関連で判定されてよい。
【００９５】
無線ノード、とりわけ、端末またはユーザ機器を設定することは、設定に従った動作に、無線ノードを、適応させる、これを行わせる、または設定することを指す場合がある。設定することは、別のデバイス、例えば、ネットワークノード（例えば、基地局もしくはｅＮｏｄｅＢのようなネットワークの無線ノード）またはネットワークによって行われてよく、この場合、設定データを、設定される無線ノードに送信することを含んでよい。このような設定データは、設定される設定を表す、ならびに／または、設定、例えば、割り当てられたリソース、とりわけ周波数リソース上で送信するおよび／もしくは受信するための設定に関連する１つもしくは複数の命令を含むことができる。無線ノードは、例えば、ネットワークまたはネットワークノードから受信された設定データに基づいてそれ自体を設定することができる。ネットワークノードは、設定するためのその回路を、利用するおよび／または利用するように適応させることができる。割り当て情報は設定データの形態とみなされてよい。
【００９６】
一般的に、設定することは、設定を表す設定データを判定することと、このデータを、１つまたは複数の他のノードに（並列におよび／または連続的に）提供することとを含むことができ、この他のノードはこのデータをさらに無線ノード（または、無線デバイスに達するまで繰り返される場合がある、別のノード）に送信することができる。代替的にはまたはさらに、例えば、ネットワークノードまたは他のデバイスによって無線ノードを設定することは、例えば、ネットワークのより高いレベルのノードであってよいネットワークノードのような別のノードから、設定データおよび／もしくは設定データに関連するデータを受信すること、ならびに／または受信した設定データを無線ノードに送信することを含んでよい。それ故に、設定を判定すること、および設定データを無線ノードに送信することは、適したインターフェース、例えば、ＬＴＥの場合のＸ２インターフェース、またはＮＲのための対応するインターフェースを介して通信可能であってよい異なるネットワークノードまたはエンティティによって行われてよい。端末を設定することは、端末のためのダウンリンクおよび／またはアップリンク送信、例えば、ダウンリンクデータ、ダウンリンク制御シグナリング、ＤＣＩ、および／またはアップリンクシグナリング、とりわけ、肯定応答シグナリングをスケジューリングすること、ならびに／あるいはリソースおよび／またはリソース用のリソースプールを設定することを含んでよい。
【００９７】
リソース構造は、例えば、１つは上側周波数境界であり、もう１つは下側周波数境界である共通境界周波数を共有する場合、別のリソース構造が周波数領域において隣接することが考えられ得る。このような境界は、例えば、サブキャリアｎ＋１にアサインメントされる帯域幅の下端も表す、サブキャリアｎにアサインメントされる帯域幅の上端によって表されてよい。
【００９８】
リソース構造は、１つは上側（または図では右側）境界であり、もう１つは下側（または図では左側）境界である、共通境界時間を共有する場合、別のリソース構造が時間領域において隣接していることが考えられ得る。このような境界は、例えば、シンボルｎ＋１にアサインメントされるシンボル時間間隔の開始も表す、シンボルｎにアサインメントされるシンボル時間間隔の終端によって表されてよい。
【００９９】
一般的に、構造化されたリソースに、領域において別のリソース構造が隣接することは、領域において他のリソース構造と接するおよび／または境界を成すと言われる場合もある。
【０１００】
リソース構造は、一般的に、とりわけ、時間間隔および周波数間隔を表す、時間領域および／または周波数領域における構造を表すことができる。リソース構造は、リソースエレメントを含んでよいおよび／もしくはこれで構成されてよい、リソース構造の時間間隔は、シンボル時間間隔を含んでよいおよび／もしくはこれで構成されてよい、ならびに／またはリソース構造の周波数間隔は、サブキャリアを含んでよいおよび／もしくはこれで構成されてよい。リソースエレメントは、リソース構造、スロット、もしくはミニスロットについての例とみなされてよい、または物理リソースブロック（ＰＲＢ）もしくはこの部分はその他のものとみなされてよい。リソース構造は、特定のチャネル、例えば、ＰＵＳＣＨまたはＰＵＣＣＨ、とりわけ、スロットまたはＰＲＢより小さいリソース構造に関連付け可能である。
【０１０１】
キャリアは、一般的に、周波数範囲もしくは帯域を表すことができる、ならびに／または中央周波数および関連の周波数間隔に関連し得る。キャリアは複数のサブキャリアを含むことが考えられ得る。キャリアは、例えば、１つまたは複数のサブキャリアによって表される中央周波数または中心周波数間隔がアサインメントされていてよい（それぞれのサブキャリアには、一般的に、周波数帯域幅または間隔がアサインメントされてよい）。異なるキャリアは、重複していない場合がある、および／または周波数領域において隣接している場合がある。
【０１０２】
本開示における「無線」という用語は、一般に無線通信に関連するとみなされてよく、とりわけ、１００ＭＨｚまたは１ＧＨｚと、１００ＧＨ、または２０もしくは１０ＧＨｚとの間の、マイクロ波、ミリメートル、および／または他の周波数を利用する無線通信を含んでもよい。このような通信は１つまたは複数のキャリアを利用することができる。
【０１０３】
無線ノード、とりわけ、ネットワークノードまたは端末は、一般的に、とりわけ、少なくとも１つのキャリア上で、無線通信信号、無線信号、および／またはデータ、とりわけ、通信データを送信するおよび／または受信するように適応される任意のデバイスであってよい。少なくとも１つのキャリアは、（ＬＢＴキャリアと呼ばれる場合がある）ＬＢＴ手順に基づいてアクセスするキャリア、例えば、アンライセンスキャリアを含んでよい。キャリアはキャリアアグリゲートの一部であることが考えられ得る。
【０１０４】
セルまたはキャリア上で受信することまたは送信することは、セルまたはキャリアに関連付けられた周波数（帯域）またはスペクトルを利用して受信することまたは送信することを指すことができる。セルは一般的に、１つまたは複数のキャリア、とりわけ、（ＵＬキャリアと呼ばれる）ＵＬ通信／送信のための少なくとも１つのキャリア、および（ＤＬキャリアと呼ばれる）ＤＬ通信／送信のための少なくとも１つのキャリアを含んでよいおよび／またはこれらによってもしくはこれらについて規定されてよい。セルは異なる数のＵＬキャリアおよびＤＬキャリアを含むことが考えられ得る。代替的にはまたはさらに、セルは、例えば、ＴＤＤベースのアプローチにおいて、ＵＬ通信／送信およびＤＬ通信／送信のための少なくとも１つのキャリアを含んでよい。
【０１０５】
チャネルは、一般的に、論理、トランスポート、または物理チャネルであってよい。チャネルは、１つまたは複数のキャリア、とりわけ、複数のサブキャリアを含んでよい、および／またはこれらにおいて配置されてよい。制御シグナリング／制御情報を伝達するおよび／または伝達するためのチャネルは、とりわけ、物理層チャネルである場合、制御チャネルとみなされてよい。
【０１０６】
一般に、シンボルは、キャリア、サブキャリア間隔、および／または関連のキャリアのヌメロロジーに依存し得るシンボル時間長を表すことができる、および／またはこれに関連付けられてよい。それ故に、シンボルは、周波数領域に関連するシンボル時間長を有する時間間隔を指示するとみなされてよい。シンボル時間長は、シンボルのまたはこれに関連付けられた、キャリア周波数、帯域幅、ヌメロロジー、および／またはサブキャリア間隔に依存し得る。それ故に、種々のシンボルは種々のシンボル時間長を有することができる。
【０１０７】
サイドリンクは一般的に、２つのＵＥおよび／または端末の間の通信チャネル（またはチャネル構造）を表すことができ、ここで、データは、通信チャネルを介して例えば直接、および／またはネットワークノードを介して中継されることなく、参加者（ＵＥおよび／または端末）の間で送信される。サイドリンクは、サイドリンク通信チャネルを介して直接リンク可能である、参加者のエアインターフェースを介してのみおよび／または直接確立可能である。いくつかの別形では、サイドリンク通信は、例えば、確定的に規定されたリソース上で、および／または参加者の間でネゴシエートされるリソース上で、ネットワークノードによる相互作用もなく行われてよい。代替的にはまたはさらに、ネットワークノードは、例えば、サイドリンク通信のために、リソース、とりわけ、１つまたは複数のリソースプールを設定すること、および／または、例えば充電の目的で、サイドリンクを監視することによって、ある制御機能性を提供することが考えられ得る。
【０１０８】
サイドリンク通信は、デバイスツーデバイス（Ｄ２Ｄ）通信、および／または、場合によっては、例えば、ＬＴＥの文脈で、ＰｒｏＳｅ（近接サービス）通信と称される場合もある。サイドリンクは、Ｖ２ｘ通信（車両通信）、例えば、Ｖ２Ｖ（ビークルツービークル）、Ｖ２Ｉ（ビークルツーインフラストラクチャ）、および／またはＶ２Ｐ（ビークルツーパーソン）の文脈で実施されてよい。サイドリンク通信に適応される任意のデバイスは、ユーザ機器または端末とみなされてよい。
【０１０９】
サイドリンク通信チャネル（または構造）は、１つもしくは複数の（例えば、物理もしくは論理）チャネル、例えば、ＰＳＣＣＨ（例えば、肯定応答位置指示のような制御情報を保持することができる物理サイドリンク制御チャネル）、および／またはＰＳＳＣＨ（例えば、データおよび／もしくは肯定応答シグナリングを保持することができる物理サイドリンク共有チャネル）を含むことができる。サイドリンク通信チャネル（または構造）は、例えば、特定のライセンスおよび／または標準に従って、セルラー通信に関連付けられたおよび／またはこれによって使用される１つまたは複数のキャリアおよび／または周波数範囲に関連するおよび／またはこれによって使用されることが考えられ得る。参加者は、とりわけ、周波数領域において、および／またはサイドリンクのキャリアのような周波数リソースに関連している）（物理）チャネルおよび／またはリソースを共有することができることで、２以上の参加者は、それにおいて例えば同時に送信するおよび／または時間シフトされるようにする、ならびに／あるいは、特定の参加者に特定のチャネルおよび／またはリソースが関連付けられてよく、それによって、例えば、１参加者のみが、例えば、周波数領域において、および／または１つもしくは複数のキャリアもしくはサブキャリアに関連している、特定のチャネル上で、または１つもしくは複数の特定のリソース上で送信するようにする。
【０１１０】
サイドリンクは、特定の標準、例えば、ＬＴＥベースの標準および／またはＮＲに従ってよいおよび／または従って実施されてよい。サイドリンクは、例えば、ネットワークノードによって設定されるように、ならびに／または参加者間であらかじめ設定されるおよび／もしくはネゴシエートされるように、ＴＤＤ（時分割複信）および／またはＦＤＤ（周波数分割複信）技術を利用することができる。ユーザ機器は、これが、この無線回路が、および／または処理回路が、例えば、とりわけ特定の標準に従って、１つもしくは複数の周波数範囲および／もしくはキャリア上で、ならびに／または１つもしくは複数のフォーマットにおいて、サイドリンクを利用するように適応される場合、サイドリンク通信に適応されているとみなされ得る。一般的に、無線アクセスネットワークはサイドリンク通信の２参加者によって規定されることが考えられ得る。代替的にはまたはさらに、無線アクセスネットワークは、ネットワークノードおよび／またはこのようなノードとの通信によって表されてよい、規定されてよい、および／またはこれに関連していてよい。
【０１１１】
通信または通信することは、一般的に、シグナリングを送信することおよび／または受信することを含むことができる。サイドリンク上の通信（またはサイドリンクシグナリング）は、通信のために（対応して、シグナリングのために）サイドリンクを利用することを含んでよい。サイドリンク送信および／またはサイドリンク上で送信することは、サイドリンク、例えば、関連のリソース、送信フォーマット、回路、および／またはエアインターフェースを利用する送信を含むとみなされてよい。サイドリンク受信および／またはサイドリンク上で受信することは、サイドリンク、例えば、関連のリソース、送信フォーマット、回路、および／またはエアインターフェースを利用する受信を含むとみなされてよい。サイドリンク制御情報（例えば、ＳＣＩ）は、一般的に、サイドリンクを利用して送信される制御情報を含むとみなされてよい。
【０１１２】
一般的に、キャリアアグリゲーション（ＣＡ）は、無線および／もしくはセルラー通信ネットワーク、ならびに／またはネットワークノードと、端末との間の、あるいは少なくとも１つの送信方向（例えば、ＤＬおよび／またはＵＬ）に対する複数のキャリアを含むサイドリンクにおける無線接続および／または通信リンクの概念のみならず、キャリアのアグリゲートを指すことができる。対応する通信リンクは、キャリアアグリゲートされた通信リンクまたはＣＡ通信リンクと称される場合があり、キャリアアグリゲートにおけるキャリアは、コンポーネントキャリア（ＣＣ）と称される場合がある。このようなリンクでは、データは、キャリアアグリゲーションの複数のキャリアおよび／または全てのキャリア（キャリアのアグリゲート）にわたって送信されてよい。キャリアアグリゲーションは、１つ（もしくは複数）の専用制御キャリア、および／または（例えば、プライマリコンポーネントキャリアもしくはＰＣＣと称される場合がある）プライマリキャリアを含んでよく、これらにわたって制御情報は送信可能である。ここで、制御情報は、プライマリキャリア、およびセカンダリキャリア（またはセカンダリコンポーネントキャリア（ＳＣＣ））と称される場合がある他のキャリアを指すことができる。しかしながら、いくつかのアプローチでは、制御情報は、アグリゲーションの複数のキャリア、例えば、１つまたは複数のＰＣＣ、１つのＰＣＣ、および１つまたは複数のＳＣＣにわたって送られてよい。
【０１１３】
送信は一般的に、とりわけ、時間における開始シンボルおよび終了シンボルによって、これらの間の間隔に及ぶ特定のチャネルおよび／または特定のリソースに関連してよい。スケジューリングされた送信は、スケジューリングされたおよび／もしくは予想された送信、ならびに／またはリソースがスケジューリング、提供、もしくは確保される送信であってよい。しかしながら、全てのスケジューリングされた送信が実現されなければならないことはない。例えば、スケジューリングされたダウンリンク送信は受信されない場合がある、スケジューリングされたアップリンク送信は電力制限により送信されない場合がある、またはその他が影響する（例えば、アンライセンスキャリア上のチャネルが占有される）。送信は、スロットのような送信タイミング構造内の送信タイミング下部構造（例えば、ミニスロット、および／または送信タイミング構造の一部のみに及ぶ）に対してスケジューリングされてよい。境界シンボルは、送信が開始するまたは終了する送信タイミング構造におけるシンボルを指示することができる。
【０１１４】
本開示の文脈においてあらかじめ定められることは、例えば標準において規定される、ならびに／または、例えば、設定されることと無関係に、例えば、メモリに記憶されるネットワークもしくはネットワークノードからの特定の設定なしで利用可能である、関連情報を指し得る。設定されるまたは設定可能であることは、例えば、ネットワークまたはネットワークノードによって、対応する情報が定められる／設定されることに関連するとみなされてよい。
【０１１５】
ミニスロットは、設定に基づいて送信および／または受信されてよい。
【０１１６】
ミニスロット設定および／もしくは構造設定のような設定は、例えば、有効である時間／送信に対する送信をスケジューリングすることができる、ならびに／または送信は、別個のシグナリングもしくは別個の設定、例えば、別個のＲＲＣシグナリングおよび／もしくはダウンリンク制御情報シグナリングによってスケジューリングされてよい。ダウンリンク制御情報または具体的にはＤＣＩシグナリングが、ＭＡＣ（媒体アクセス制御）シグナリングまたはＲＲＣ層シグナリングのような上位層シグナリングと対照的に、物理層シグナリングとみなされてよいことは、留意されるべきである。シグナリングの層が高いほど、少なくとも部分的に、それぞれの層が処理およびハンドリングを必要とするいくつかの層を通して渡されなければならないようなシグナリングに含有される情報により、リソースを消費する頻度が少なくなる／消費する時間が長くなることが考えられ得る。
【０１１７】
スケジューリングされた送信および／またはミニスロットは、特定のチャネル、とりわけ、物理アップリンク共有チャネル、物理アップリンク制御チャネル、もしくは物理ダウンリンク共有チャネル、例えば、ＰＵＳＣＨ、ＰＵＣＣＨ、もしくはＰＤＳＣＨに関連してよい、ならびに／または特定のセルおよび／もしくはキャリアアグリゲーションに関連してよい。対応する設定、例えば、スケジューリング設定またはシンボル設定は、このようなチャネル、セル、および／またはキャリアアグリゲーションに関連してよい。
【０１１８】
設定は、タイミングを指示する設定であってよい、および／または対応する設定データによって表されてよいもしくは設定されてよい。設定は、とりわけ、半永続的におよび／または準静的に、リソースを指示するおよび／またはスケジューリングすることができる、メッセージ、設定、または対応するデータに、埋め込まれてよいおよび／またはこれに含まれてよい。
【０１１９】
スケジューリングされた送信は、物理チャネル、とりわけ共有物理チャネル、例えば、物理アップリンク共有チャネルまたは物理ダウンリンク共有チャネル上の送信を表すことが考えられ得る。このようなチャネルには、半永続的に設定することがとりわけ適している場合がある。
【０１２０】
送信タイミング構造の制御領域は、制御シグナリング、とりわけ、ダウンリンク制御シグナリングのために、および／または特定の制御チャネル、例えば、ＰＤＣＣＨのような物理ダウンリンク制御チャネルのために、意図、スケジューリング、または確保される時間的な間隔であってよい。この間隔は、例えば、ＰＤＣＣＨ、ＲＲＣシグナリング、またはマルチキャストもしくはブロードキャストチャネル上で、例えば、（シングルキャストされてよい、例えば、特定のＵＥにアドレス指定されてまたはこれを対象としてよい）（ＵＥ固有の）専用シグナリングによって、設定されてよいまたは設定可能であってよい、時間におけるいくつかのシンボルを含んでよいおよび／またはこれで構成されてよい。一般に、送信タイミング構造は、設定可能なシンボル数に及ぶ制御領域を含んでよい。一般に、境界シンボルは時間における制御領域の後になるように設定されることが考えられ得る。
【０１２１】
送信タイミング構造のシンボルの持続時間は一般的に、ヌメロロジーおよび／またはキャリアに依存してよく、この場合、ヌメロロジーおよび／またはキャリアは設定可能であってよい。ヌメロロジーは、スケジューリングされた送信に使用されるヌメロロジーであってよい。
【０１２２】
デバイスをもしくはデバイスのためにスケジューリングすること、および／または関連の送信もしくはシグナリングは、リソースによってデバイスを設定すること、および／または、例えば、通信に使用するために、デバイスリソースに指示することを含むまたはこれらの形態であるとみなされてよい。スケジューリングはとりわけ、送信タイミング構造、またはこの下部構造（例えば、スロットの下部構造とみなされてよいスロットまたはミニスロット）に関連してよい。境界シンボルは、下部構造のためにスケジューリングされる場合でも、例えば、基礎を成すタイミンググリッドが送信タイミング構造に基づいて規定される場合に、送信タイミング構造に関連して識別および／または判定されてよいことが考えられ得る。スケジューリングを指示するシグナリングは、対応するスケジューリング情報を含んでよい、ならびに／またはスケジューリングされた送信を指示するおよび／もしくはスケジューリング情報を含む設定データを表すもしくは含有するとみなされてよい。このような設定データまたはシグナリングは、リソース設定またはスケジューリング設定とみなされてよい。（とりわけ、単一メッセージとしての）このような設定が、場合によっては、例えば、他のシグナリング、例えば、上位層シグナリングによって設定される他の設定データがなく完了されない恐れがあることは、留意されるべきである。とりわけ、シンボル設定は、どのシンボルがスケジューリングされた送信にアサインメントされるかを厳密に識別するためのスケジューリング／リソース設定に加えて、提供されてよい。スケジューリング（またはリソース）設定は、スケジューリングされた送信のための送信タイミング構造、および／または（例えば、シンボルの数または時間の長さにおける）リソース量を指示することができる。
【０１２３】
スケジューリングされた送信は、例えば、ネットワークまたはネットワークノードによってスケジューリングされた送信であってよい。送信は、この文脈では、アップリンク（ＵＬ）、ダウンリンク（ＤＬ）、またはサイドリンク（ＳＬ）送信であってよい。スケジューリングされた送信がスケジューリングされるデバイス、例えばユーザ機器は、それに応じて、スケジューリングされた送信を（例えば、ＤＬまたはＳＬにおいて）受信するまたは（例えば、ＵＬまたはＳＬにおいて）送信するようにスケジューリングされてよい。送信をスケジューリングすることは、とりわけ、この送信のためのリソースによってスケジューリングされたデバイスを設定すること、ならびに／またはデバイスに、送信がいくつかのリソースを対象としているおよび／もしくはこれのためにスケジューリングされていることを通知することを含むとみなされてよい。送信は、時間間隔、とりわけ、開始シンボルと終了シンボルとの間の（およびこれらを含む）時間における連続的な間隔を形成することができる連続のシンボル数に及ぶようにスケジューリングされてよい。（例えば、スケジューリングされた）送信の開始シンボルおよび終了シンボルは、同じ送信タイミング構造、例えば、同じスロット内にあってよい。しかしながら、場合によっては、終了シンボルは、開始シンボルより後の送信タイミング構造、とりわけ、時間的に後の構造におけるものであり得る。スケジューリングされた送信には、例えば、いくつかのシンボルまたは関連の時間間隔において、持続時間が関連付けられておよび／または指示されてよい。いくつかの別形では、同じ送信タイミング構造においてスケジューリングされた異なる送信があってよい。スケジューリングされた送信は、特定のチャネル、例えば、ＰＵＳＣＨまたはＰＤＳＣＨのような共有チャネルに関連付けられているとみなされてよい。
【０１２４】
送信タイミング構造は、複数のシンボルを含んでよい、および／またはいくつかのシンボルを含む間隔（対応して、これらの関連の時間間隔）を規定してよい。本開示の文脈において、参照を容易にするためのシンボルへの言及が、文脈から、周波数領域コンポーネントも考慮されなければならないことが明らかでない限り、時間領域プロジェクション、時間間隔、時間コンポーネント、持続時間、またはシンボルの時間的な長さを指すものと解釈可能であることは、留意されるべきである。送信タイミング構造の例には、スロット、サブフレーム、（スロットの下部構造とみなされる場合もある）ミニスロット、（複数のスロットを含んでよく、かつスロットの上部構造とみなされてよい）スロットアグリゲーション、それぞれのこれらの時間領域コンポーネントが含まれる。
【０１２５】
送信タイミング構造は、一般的に、送信タイミング構造の時間領域拡張（例えば、間隔、長さ、または持続時間）を規定し、かつ番号順に互いに隣接して配置される複数のシンボルを含んでよい。（また、同期構造としてみなされ得るまたは実装されてよい）タイミング構造は、例えば、最小のグリッド構造を表す、シンボルを有するタイミンググリッドを規定することができる、一連のこのような送信タイミング構造によって規定されてよい。送信タイミング構造、および／または境界シンボルもしくはスケジューリングされた送信は、このようなタイミンググリッドに関連して判定またはスケジューリングされてよい。受信の送信タイミング構造は、例えば、タイミンググリッドに関連して、スケジューリング制御シグナリングが受信される送信タイミング構造であってよい。送信タイミング構造はとりわけ、スロット、サブフレーム、または場合によっては、ミニスロットであってよい。
【０１２６】
本開示では、限定ではなく説明の目的で、本明細書に提示される技法を十分に理解してもらうために（特定的なネットワーク機能、プロセス、およびシグナリングステップなどの）具体的な詳細が示されている。本開示の概念および態様が、他の別形、およびこれらの具体的な詳細から逸脱する別形において実践可能であることは、当業者には明らかであろう。
【０１２７】
例えば、概念および別形は、Ｌｏｎｇ  Ｔｅｒｍ  Ｅｖｏｌｕｔｉｏｎ（ＬＴＥ）、ＬＴＥ−Ａｄｖａｎｃｅｄ（ＬＴＥ−Ａ）、新無線モバイル、または無線通信技術の文脈で部分的に説明されているが、これは、汎欧州デジタル移動電話方式（ＧＳＭ）などの追加のまたは代替的なモバイル通信技術に関連した本開示の概念および態様の使用を除外するものではない。以下の別形は、第３世代パートナーシッププロジェクト（３ＧＰＰ）のある特定の技術仕様（ＴＳ）に関して部分的に説明されるが、本開示の概念および態様がまた、異なる性能管理（ＰＭ）仕様に関連して実現可能であることは、理解されるであろう。
【０１２８】
さらに、当業者には理解されるであろうが、本明細書に説明したサービス、機能、およびステップは、プログラミングされたマイクロプロセッサと併せて機能するソフトウェアを使用して、または、特定用途向け集積回路（ＡＳＩＣ）、デジタル信号プロセッサ（ＤＳＰ）、フィールドプログラマブルゲートアレイ（ＦＰＧＡ）、もしくは汎用コンピュータを使用して、実施されてよい。本明細書に説明される別形は、方法およびデバイスの文脈で明らかにされているが、本明細書に提示される概念および態様はまた、プログラム製品のみならず、制御回路、例えば、コンピュータプロセッサおよび該プロセッサに結合されるメモリを含むシステムにおいて具現化されてよく、このメモリは、本明細書に開示されるサービス、機能、およびステップを実行する１つまたは複数のプログラムまたはプログラム製品によってコード化されることも、理解されるであろう。
【０１２９】
本明細書に提示される態様および別形の利点は、前述の説明から十分理解されるものになると思われ、本明細書に説明される概念および態様の範囲から逸脱することなく、またはこの有利な効果の全てを犠牲にすることなく、こうした例示の態様の形態、構成、および配置においてさまざまな変更がなされてよいことは、明らかであろう。本明細書に提示される態様は多くのやり方で変えることができる。
【０１３０】
略語    説明
ＣＤＭ  符号分割多重
ＣＱＩ  チャネル品質情報
ＣＲＣ  巡回冗長検査
ＤＣＩ  ダウンリンク制御情報
ＤＦＴ  離散フーリエ変換
ＤＭ−ＲＳ  復調用参照信号
ＦＤＭ  周波数分割多重
ＨＡＲＱ  ハイブリッド自動再送要求
ＯＦＤＭ  直交周波数分割多重
ＰＡＰＲ  ピーク対平均電力比
ＰＵＣＣＨ  物理アップリンク制御チャネル
ＰＲＢ  物理リソースブロック
ＲＲＣ  無線リソース制御
ＵＣＩ  アップリンク制御情報
ＵＥ  ユーザ機器
【０１３１】
略語は、該当する場合、３ＧＰＰの慣例に従っているとみなされ得る。
【図１】
2022000959.tif 000007
【図２】
2022000959.tif 000008
【図３】
2022000959.tif 000009
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
無線アクセスネットワークにおいてユーザ機器（ＵＥ）を動作させる方法であって、
フィードバックリソース範囲を利用してＨＡＲＱ（ハイブリッド自動再送要求）フィードバックを送信することであって、前記フィードバックリソース範囲は、第１のダウンリンク制御情報（ＤＣＩ）メッセージにおいて受信されるフィードバックサイズ指示および第２のＤＣＩメッセージにおいて受信されるスケジューリングアサインメント指示に基づいて判定される、フィードバックシグナリングを送信することを含み、前記フィードバックサイズ指示はフィードバックシグナリングのサイズを指示し、
前記第１のＤＣＩメッセージは、前記ＵＥに対して、物理アップリンク共有チャネル（ＰＵＳＣＨ）上の送信のためにシグナリングリソース範囲を設定するアップリンクグラントスケジューリングであり、
前記フィードバックリソース範囲は、前記シグナリングリソース範囲の一部である、方法。
【請求項２】
前記第２のＤＣＩメッセージは、前記ＵＥにより受信されるデータ送信をスケジューリングするスケジューリングアサインメントである、請求項１に記載の方法。
【請求項３】
前記ＨＡＲＱフィードバックは、前記第２のＤＣＩメッセージによりスケジューリングされる前記ＵＥにより受信される前記データ送信に関連する、請求項２に記載の方法。
【請求項４】
前記フィードバックリソース範囲は、複数の第２のＤＣＩメッセージにおいて受信される複数のスケジューリングアサインメント指示に基づいて決定される、請求項１に記載の方法。
【請求項５】
前記フィードバックサイズ指示は、複数の異なるＨＡＲＱプロセスに関連するシグナリングのサイズに関連する、請求項１に記載の方法。
【請求項６】
前記スケジューリングアサインメント指示は、スケジューリングアサインメントの数を指示するダウンリンクアサインメントインデックス（ＤＡＩ）である、請求項１に記載の方法。
【請求項７】
前記フィードバックサイズ指示は、少なくとも２ビットのサイズを有するビットパターンを表す、請求項１に記載の方法。
【請求項８】
前記ＨＡＲＱフィードバックは、前記シグナリングリソース範囲を利用するＰＵＳＣＨ送信におけるデータと多重化される、請求項１に記載の方法。
【請求項９】
前記フィードバックサイズ指示は、スケジューリングアサインメントの数を指示するスケジューリングアサインメント指示である、請求項１に記載の方法。
【請求項１０】
前記ＨＡＲＱフィードバックは、前記シグナリングリソース範囲においてレートマッチングされる、請求項１に記載の方法。
【請求項１１】
無線アクセスネットワークのためのユーザ機器（ＵＥ）であって、
前記ＵＥは、処理回路および無線回路を備え、かつ、前記処理回路および前記無線回路を利用して、
フィードバックリソース範囲を利用してＨＡＲＱ（ハイブリッド自動再送要求）フィードバックを送信することであって、前記フィードバックリソース範囲は、第１のダウンリンク制御情報（ＤＣＩ）メッセージにおいて受信されるフィードバックサイズ指示および第２のＤＣＩメッセージにおいて受信されるスケジューリングアサインメント指示に基づいて判定される、フィードバックシグナリングを送信するように設定され、
前記フィードバックサイズ指示はフィードバックシグナリングのサイズを指示し、前記第１のＤＣＩメッセージは、前記ＵＥに対して、物理アップリンク共有チャネル（ＰＵＳＣＨ）上の送信のためにシグナリングリソース範囲を設定するアップリンクグラントスケジューリングであり、前記フィードバックリソース範囲は、前記シグナリングリソース範囲の一部である、ユーザ機器。
【請求項１２】
前記第２のＤＣＩメッセージは、前記ＵＥにより受信されるデータ送信をスケジューリングするスケジューリングアサインメントである、請求項１１に記載のユーザ機器。
【請求項１３】
前記ＨＡＲＱフィードバックは、前記第２のＤＣＩメッセージによりスケジューリングされる前記ＵＥにより受信される前記データ送信に関連する、請求項１２に記載のユーザ機器。
【請求項１４】
前記フィードバックリソース範囲は、複数の第２のＤＣＩメッセージにおいて受信される複数のスケジューリングアサインメント指示に基づいて決定される、請求項１１に記載のユーザ機器。
【請求項１５】
前記フィードバックサイズ指示は、複数の異なるＨＡＲＱプロセスに関連するシグナリングのサイズに関連する、請求項１１に記載のユーザ機器。
【請求項１６】
前記スケジューリングアサインメント指示は、スケジューリングアサインメントの数を指示するダウンリンクアサインメントインデックス（ＤＡＩ）である、請求項１１に記載のユーザ機器。
【請求項１７】
前記フィードバックサイズ指示は、少なくとも２ビットのサイズを有するビットパターンを表す、請求項１１に記載のユーザ機器。
【請求項１８】
前記ＨＡＲＱフィードバックは、前記シグナリングリソース範囲を利用するＰＵＳＣＨ送信におけるデータと多重化される、請求項１１に記載のユーザ機器。
【請求項１９】
前記フィードバックサイズ指示は、スケジューリングアサインメントの数を指示するスケジューリングアサインメント指示である、請求項１１に記載のユーザ機器。
【請求項２０】
前記ＨＡＲＱフィードバックは、前記シグナリングリソース範囲においてレートマッチングされる、請求項１１に記載のユーザ機器。
【外国語明細書】
2022000959000001.pdf